(57)【特許請求の範囲】
【請求項１】
アンテナ（３００、５００、６００、７００、８００、９００、１００１、１００２）であって、
少なくとも１つの電磁レンズ（３０２、４０２、５０２、６０１、７０１、８０１、９０１、１００６、１０１３）と、
上記レンズ（３０２、４０２、５０２、６０１、７０１、８０１、９０１、１００６、１０１３）に接続された少なくとも１つの接地平面（３０１、４０１、５０１、６０４、７０２、８０３、９０３、１００７、１０１４）と、
上記レンズ（３０２、４０２、５０２、６０１、７０１、８０１、９０１、１００６、１０１３）に接続された少なくとも１つのプローブ構造体とを有し、上記プローブ構造体が、少なくとも２つのプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を有し、
上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）は、レンズ（３０２、４０２、５０２、６０１、７０１、８０１、９０１、１００６、１０１３）によって取り囲まれており、
少なくとも２つの上記プローブの互いの向きが、少なくとも部分的に、互いの電磁視界ラインの外側にプローブが配置されるような、向きになっており、電磁視界ラインは、プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が電磁的な観点からお互いが見えないように、妨害される、アンテナ（３００、５００、６００、７００、８００、９００、１００１、１００２）。
【請求項２】
少なくとも１つのプローブによって送信される電磁放射を、少なくとも１つの他のプローブから遠ざけるように反射する少なくとも１つの反射要素（３０５ａ、３０５ｂ、３０５ｃ、３０５ｄ、４０５ａ、４０５ｂ、４０５ｃ、４０５ｄ、４０６）が上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の間に配置されている、請求項１に記載のアンテナ（３００、５００、６００、７００、８００、９００、１００１、１００２）。
【請求項３】
少なくとも１つの上記反射要素（３０５ａ、３０５ｂ、３０５ｃ、３０５ｄ、４０５ａ、４０５ｂ、４０５ｃ、４０５ｄ、４０６）が、少なくとも１つの上記反射要素（３０５ａ、３０５ｂ、３０５ｃ、３０５ｄ、４０５ａ、４０５ｂ、４０５ｃ、４０５ｄ、４０６）によって上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の間の直線が妨害されるような位置に配置されている、請求項２に記載のアンテナ（３００、５００、６００、７００、８００、９００、１００１、１００２）。
【請求項４】
少なくとも１つの上記反射要素（３０５ａ、３０５ｂ、３０５ｃ、３０５ｄ、４０５ａ、４０５ｂ、４０５ｃ、４０５ｄ、４０６）が、上記レンズ（３０２、４０２、５０２、６０１、７０１、８０１、９０１、１００６、１０１３）の周囲壁（３０５、４０５）によって形成されている、請求項２または３に記載のアンテナ（３００、５００、６００、７００、８００、９００、１００１、１００２）。
【請求項５】
上記レンズ（３０２、４０２、５０２、６０１、７０１、８０１、９０１、１００６、１０１３）の周囲壁（３０５、４０５）の少なくとも一部分が、凹形状を有する、請求項４に記載のアンテナ（３００、５００、６００、７００、８００、９００、１００１、１００２）。
【請求項６】
周囲壁（３０５、４０５）の少なくとも一部分が、波形形状である、請求項４または５に記載のアンテナ（３００、５００、６００、７００、８００、９００、１００１、１００２）。
【請求項７】
少なくとも１つのアンテナプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、上記レンズ（３０２、４０２、５０２、６０１、７０１、８０１、９０１、１００６、１０１３）の鋭利な先端またはそれの近傍に位置する、請求項１ないし６のいずれか１項に記載のアンテナ（３００、５００、６００、７００、８００、９００、１００１、１００２）。
【請求項８】
上記プローブ構造体が、電磁放射を受信するように構成されている、請求項１ないし７のいずれか１項に記載のアンテナ（３００、５００、６００、７００、８００、９００、１００１、１００２）。
【請求項９】
上記プローブ構造体が、電磁放射を送信するように構成されている、請求項１ないし８のいずれか１項に記載のアンテナ（３００、５００、６００、７００、８００、９００、１００１、１００２）。
【請求項１０】
少なくとも２つの上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の形状が互いに異なっている、請求項１ないし９のいずれか１項に記載のアンテナ（３００、５００、６００、７００、８００、９００、１００１、１００２）。
【請求項１１】
少なくとも１つの上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、５ＧＨｚ周波数帯域で動作するように構成され、上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の長さが４ないし８ｍｍである、請求項１ないし１０のいずれか１項に記載のアンテナ（３００、５００、６００、７００、８００、９００、１００１、１００２）。
【請求項１２】
少なくとも１つの上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、２．４ＧＨｚ周波数帯域で動作するように構成され、上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の長さが１０ないし１８ｍｍである、請求項１ないし１１のいずれか１項に記載のアンテナ（３００、５００、６００、７００、８００、９００、１００１、１００２）。
【請求項１３】
少なくとも１つの上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の直径が１ないし３ｍｍである、請求項１ないし１２のいずれか１項に記載のアンテナ（３００、５００、６００、７００、８００、９００、１００１、１００２）。
【請求項１４】
上記レンズ（３０２、４０２、５０２、６０１、７０１、８０１、９０１、１００６、１０１３）に、上記プローブ構造体の上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を収容する少なくとも１つの収容空間（３０３、４０３）が設けられている、請求項１ないし１３のいずれか１項に記載のアンテナ（３００、５００、６００、７００、８００、９００、１００１、１００２）。
【請求項１５】
上記接地平面（３０１、４０１、５０１、６０４、７０２、８０３、９０３、１００７、１０１４）に、上記プローブ構造体の上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を収容する少なくとも１つの収容空間（３０３、４０３）が設けられている、請求項１ないし１４のいずれか１項に記載のアンテナ（３００、５００、６００、７００、８００、９００、１００１、１００２）。
【請求項１６】
複数の収容空間（３０３ａ、３０３ｂ、４０３ａ、４０３ｂ、５０３ａ、５０３ｂ、５０３ｃ、５０３ｄ、５０３ｅ）を備え、各収容空間（３０３ａ、３０３ｂ、４０３ａ、４０３ｂ、５０３ａ、５０３ｂ、５０３ｃ、５０３ｄ、５０３ｅ）は、単一のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を収容するように構成されている、請求項１ないし１５のいずれか１項に記載のアンテナ（３００、５００、６００、７００、８００、９００、１００１、１００２）。
【請求項１７】
複数の収容空間（３０３ａ、３０３ｂ、４０３ａ、４０３ｂ、５０３ａ、５０３ｂ、５０３ｃ、５０３ｄ、５０３ｅ）のうちの少なくとも２つのものの互いの向きが、互いの電磁視界ラインの外側に収容空間（３０３ａ、３０３ｂ、４０３ａ、４０３ｂ、５０３ａ、５０３ｂ、５０３ｃ、５０３ｄ、５０３ｅ）が配置されるような、向きになっている、請求項１６に記載のアンテナ（３００、５００、６００、７００、８００、９００、１００１、１００２）。
【請求項１８】
上記レンズ（３０２、４０２、５０２、６０１、７０１、８０１、９０１、１００６、１０１３）の高さが５ｃｍに等しいまたはそれより小さい、請求項１ないし１７のいずれか１項に記載のアンテナ（３００、５００、６００、７００、８００、９００、１００１、１００２）。
【請求項１９】
上記レンズ（３０２、４０２、５０２、６０１、７０１、８０１、９０１、１００６、１０１３）が、少なくとも部分的に、誘電体で出来ている、請求項１ないし１８のいずれか１項に記載のアンテナ（３００、５００、６００、７００、８００、９００、１００１、１００２）。
【請求項２０】
上記レンズ（３０２、４０２、５０２、６０１、７０１、８０１、９０１、１００６、１０１３）が、少なくとも部分的に、少なくとも１つのセラミックから出来ている、請求項１９に記載のアンテナ（３００、５００、６００、７００、８００、９００、１００１、１００２）。
【請求項２１】
上記レンズ（３０２、４０２、５０２、６０１、７０１、８０１、９０１、１００６、１０１３）が、ガラス、水晶、および／または少なくとも１つのポリマーから少なくとも部分的に出来ている、請求項１９または２０に記載のアンテナ（３００、５００、６００、７００、８００、９００、１００１、１００２）。
【請求項２２】
上記レンズ（３０２、４０２、５０２、６０１、７０１、８０１、９０１、１００６、１０１３）が、
流体で少なくとも部分的に満たされた少なくとも１つの内部空間を取り囲む、少なくとも１つのガラス、水晶、および／または少なくとも１つのポリマーから、少なくとも部分的に出来ているシェルを有している、請求項２１に記載のアンテナ（３００、５００、６００、７００、８００、９００、１００１、１００２）。
【請求項２３】
上記レンズ（３０２、４０２、５０２、６０１、７０１、８０１、９０１、１００６、１０１３）が、誘電体共振器である、請求項１ないし２２のいずれか１項に記載のアンテナ（３００、５００、６００、７００、８００、９００、１００１、１００２）。
【請求項２４】
少なくとも１つのベースプロフィールを有する、少なくとも１つの上記レンズ（３０２、４０２、５０２、６０１、７０１、８０１、９０１、１００６、１０１３）と少なくとも１つの上記接地平面（３０１、４０１、５０１、６０４、７０２、８０３、９０３、１００７、１０１４）とのうちの少なくとも１つが、実質的にスーパー形成され、スーパー形成された上記ベースプロフィールが、極関数：
【数１】
0006001181.tif 000058
によって規定され、
ρd（φ）が、ＸＹ平面に位置する曲線であり、
φ∈ [０，２π）が、角座標である、
請求項１ないし２３のいずれか１項に記載のアンテナ（３００、５００、６００、７００、８００、９００、１００１、１００２）。
【請求項２５】
上記レンズ（３０２、４０２、５０２、６０１、７０１、８０１、９０１、１００６、１０１３）および／または上記接地平面（３０１、４０１、５０１、６０４、７０２、８０３、９０３、１００７、１０１４）の３次元形状のパラメータ表現が、２つの垂直な断面ρ1（θ）およびρ2（φ）に基づいており：
【数２】
0006001181.tif 000059
であり、
ρが、請求項１に示される関数で規定され、
０≦θ≦２π、および、
−(1/2)π≦φ≦(1/2)π
である、請求項２４に記載のアンテナ（３００、５００、６００、７００、８００、９００、１００１、１００２）。
【請求項２６】
ｍ≧４である、請求項２４または２５に記載のアンテナ（３００、５００、６００、７００、８００、９００、１００１、１００２）。
【請求項２７】
ａ≠ｂである、請求項２４ないし２６のいずれか１項に記載のアンテナ（３００、５００、６００、７００、８００、９００、１００１、１００２）。
【請求項２８】
ｎx、ｎyおよびｎ0のうちの少なくとも１つの値が２ではない、請求項２４ないし２７のいずれか１項に記載のアンテナ（３００、５００、６００、７００、８００、９００、１００１、１００２）。
【請求項２９】
実質的にスーパー形成された上記ベースプロフィールが、上記接地平面（３０１、４０１、５０１、６０４、７０２、８０３、９０３、１００７、１０１４）によって規定される平面に実質的に平行な方向に延びる上記レンズ（３０２、４０２、５０２、６０１、７０１、８０１、９０１、１００６、１０１３）のベースプロフィールである、請求項２４ないし２８のいずれか１項に記載のアンテナ（３００、５００、６００、７００、８００、９００、１００１、１００２）。
【請求項３０】
上記接地平面（３０１、４０１、５０１、６０４、７０２、８０３、９０３、１００７、１０１４）の、上記レンズ（３０２、４０２、５０２、６０１、７０１、８０１、９０１、１００６、１０１３）のほうを向いている表面が、少なくとも部分的に、反射的である、請求項１ないし２９のいずれか１項に記載のアンテナ（３００、５００、６００、７００、８００、９００、１００１、１００２）。
【請求項３１】
上記接地平面（３０１、４０１、５０１、６０４、７０２、８０３、９０３、１００７、１０１４）が、少なくとも部分的に、導電材料から出来ている、請求項１ないし３０のいずれか１項に記載のアンテナ（３００、５００、６００、７００、８００、９００、１００１、１００２）。
【請求項３２】
上記プローブ構造体が、上記接地平面（３０１、４０１、５０１、６０４、７０２、８０３、９０３、１００７、１０１４）に接続されている、請求項１ないし３１のいずれか１項に記載のアンテナ（３００、５００、６００、７００、８００、９００、１００１、１００２）。
【請求項３３】
上記レンズ（３０２、４０２、５０２、６０１、７０１、８０１、９０１、１００６、１０１３）が、屈折率ｎを有し、ｎ≠１である、請求項１ないし３２のいずれか１項に記載のアンテナ（３００、５００、６００、７００、８００、９００、１００１、１００２）。
【請求項３４】
上記プローブ構造体が、第１の周波数帯域で通信するように構成された少なくとも１つの第１のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）と、第２の周波数帯域で通信するように構成された少なくとも１つの第２のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）と、を有する、請求項１ないし３３のいずれか１項に記載のアンテナ（３００、５００、６００、７００、８００、９００、１００１、１００２）。
【請求項３５】
上記プローブ構造体が、複数の第１のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）と、複数の第２のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）と、を有する、請求項３４に記載のアンテナ（３００、５００、６００、７００、８００、９００、１００１、１００２）。
【請求項３６】
上記プローブ構造体の双方向通信のために、放射送信モードと放射受信モードとの間で上記プローブ構造体を自動的に切り替える少なくとも１つのプロセッサ（８０７）を有する、請求項３４または３５のいずれか１項に記載のアンテナ（３００、５００、６００、７００、８００、９００、１００１、１００２）。
【請求項３７】
上記プロセッサ（８０７）が、各周波数帯域での双方向通信のために、上記第１の周波数帯域と上記第２の周波数帯域との間で自動的に切り替えるように構成されている、請求項３６に記載のアンテナ（３００、５００、６００、７００、８００、９００、１００１、１００２）。
【請求項３８】
全てのプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の互いの向きは、全てのプローブが少なくとも部分的に互いの電磁視界ラインの外側に配置されるような、向きになっている、請求項１ないし３７のいずれか１項に記載のアンテナ（３００、５００、６００、７００、８００、９００、１００１、１００２）。
【請求項３９】
電磁信号を送受信するアンテナシステムであって、請求項１ないし３８のいずれか１項に記載のアンテナ（３００、５００、６００、７００、８００、９００、１００１、１００２）を少なくとも１つ有する、アンテナシステム。
【請求項４０】
複数の、ＭＩＭＯ構成の、請求項３４または３５に記載のアンテナを有する、請求項３９に記載のアンテナシステム。
【請求項４１】
請求項１ないし３８のいずれか１項に記載のアンテナを製造する方法であって、
接地平面（３０１、４０１、５０１、６０４、７０２、８０３、９０３、１００７、１０１４）、レンズ（３０２、４０２、５０２、６０１、７０１、８０１、９０１、１００６、１０１３）、およびプローブ構造体を組み立てるステップを有し、プローブ構造体は、複数のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を有し、少なくとも２つの上記プローブの互いの向きは、上記プローブが少なくとも部分的に互いの電磁視界ラインの外側に配置されるような、向きになっており、電磁視界ラインは、プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が電磁的な観点からお互いが見えないように、妨害される、方法。
【請求項４２】
接地平面（３０１、４０１、５０１、６０４、７０２、８０３、９０３、１００７、１０１４）および／またはレンズ（３０２、４０２、５０２、６０１、７０１、８０１、９０１、１００６、１０１３）が、実質的にスーパー形成された少なくとも１つのベースプロフィールを有し、スーパー形成が、極関数：
【数３】
0006001181.tif 000060
によって規定され、
ρd（φ）が、ＸＹ平面に位置する曲線であり、
φ∈ [０，２π）が、角座標である
ように、少なくとも１つの接地平面および／または少なくとも１つのレンズが設計される、請求項４１に記載の方法。
【請求項４３】
組み立てるステップ中に、複数のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、上記接地平面（３０１、４０１、５０１、６０４、７０２、８０３、９０３、１００７、１０１４）および／または上記レンズ（３０２、４０２、５０２、６０１、７０１、８０１、９０１、１００６、１０１３）に接続される、請求項４１または４２に記載の方法。
【請求項４４】
少なくとも１つのプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、第１の周波数帯域で通信するように構成され、少なくとも１つの他のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、第２の周波数帯域で通信するように構成されている、請求項４３に記載の方法。
【請求項４５】
動作中に、上記レンズ（３０２、４０２、５０２、６０１、７０１、８０１、９０１、１００６、１０１３）の異なる領域が励起されるように、異なるプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が方向付けられている、請求項４４に記載の方法。
【請求項４６】
上記レンズ（３０２、４０２、５０２、６０１、７０１、８０１、９０１、１００６、１０１３）が、水晶、ガラス、セラミック、ポリマー、および脱塩水から成るグループから選択される誘電体から少なくとも部分的に出来ている、請求項４１ないし４５のいずれか１項に記載の方法。
【請求項４７】
ポリマーのレンズ（３０２、４０２、５０２、６０１、７０１、８０１、９０１、１００６、１０１３）が、３Ｄ印刷によって出来ている、請求項４６に記載の方法。
【請求項４８】
請求項１ないし３８のいずれか１項に記載のアンテナ（３００、５００、６００、７００、８００、９００、１００１、１００２）を用いることによる無線通信での使用方法であって、上記方法は、通信回路をアンテナネットワークに接続するステップを有し、ネットワークは、請求項１ないし３８のいずれか１項に記載のアンテナ（３００、５００、６００、７００、８００、９００、１００１、１００２）を複数個有し、各アンテナは、指定された少なくとも１つの周波数帯域の動作に最適化されている、方法。
【請求項４９】
各アンテナ（３００、５００、６００、７００、８００、９００、１００１、１００２）が、複数の周波数帯域での動作に最適化されている、請求項４８に記載の方法。
【請求項５０】
指定された複数の周波数帯域のそれぞれが、単一の周波数を有している、請求項４８または４９に記載の方法。
【請求項５１】
請求項１ないし３８のいずれか１項に記載のアンテナ（３００、５００、６００、７００、８００、９００、１００１、１００２）を少なくとも１つ有する無線通信装置のＲＦ送受信機。
【請求項５２】
請求項５１に記載のＲＦ送受信機を有する電子機器。
【発明の詳細な説明】
【発明の詳細な説明】
【０００１】
〔はじめに〕
本発明は、レンズアンテナに関する。本発明はまた、本発明に係る少なくとも１つのアンテナを有する電磁信号を送受信するアンテナシステムに関する。本発明はさらに、本発明に係るアンテナを製造する方法に関する。本発明はさらに、本発明に係るアンテナを用いることによる無線通信での使用方法に関する。本発明はさらに、本発明に係るアンテナを少なくとも１つ有する無線通信装置のＲＦ送受信機に関する。本発明はさらに、本発明に係るＲＦ送受信機を有する電子機器に関する。
【０００２】
データ通信および接続性への増大する要求の結果、現在および緊急の通信要件を満たすための革新的な方法が開発されてきた。データがソースから目的地へ運ばれる経路は、通信リンクとして記述される。無線通信システムに影響を与える干渉の主なソースは、自然界の電磁波であり、電子通信および情報システムの磁気および無線周波数の破壊または断続的欠陥をもたらす。有線データリンク（すなわち光ファイバまたはケーブル）に関連する生来の物理的、技術的、および機械的な設計パラメータは、しばしば、ノイズ源または干渉源からの免疫レベルを提供する。さらに、有線メディアは、無線データリンクに悪影響を及ぼすノイズと干渉との効果を制限できる、ある特性を有する。無線通信データリンクは、自由空間伝搬を用いており、ソースの広いスペクトルからの干渉および信号の破壊に従う。これは、これらのシステムの設計者に対する最も重要な挑戦のうちの一つを表しており、電磁および無線周波数干渉のソースから送信メディアを分離することは困難であり、いくつかの例では不可能である。無線通信技術は、高周波、超短波、マイクロ波、光伝送周波数を含む、広範囲の電磁スペクトルを使用する。電磁スペクトルのセグメントまたは周波数が異なると、ノイズと干渉の効果は異なる。この関心事に対処するために、信号の干渉および破壊に関連する通信要件および問題に適切に対処する無線データリンクパラメータの設計について、非常に考慮すべきである。これらのシステムの設計中の潜在的な干渉源を考慮することで、データリンク接続性、信頼性およびデータ速度に大きな効果を与えることができる。無線ネットワークデータネットワークと無線ネットワークセグメントへの信頼が増加することによって、ネットワークの動作と生存性に関連して、さらなる脆弱性が導入される。これらの無線システムは、増大するバンドの混雑干渉および意図的な干渉源の導入の可能性に従う。重要な無線ノードへ指示されたエネルギーを送る能力により、ネットワークの接続性とサービスとの一時的または永久の破壊が生じる。さらに、無線通信の最近の進歩で、コンパクトで、低プロフィールで、高性能なアンテナバスの必要性が非常に増加している。このアンテナへの最も大きな要求は、個人の通信システム（例えば携帯電話、ページャ、移動可能なデータシステムおよび全地球測位システム）および他の移動可能な適用（例えば自動車、鉄道）からのものである。適用によって、アンテナ性能（例えばゲイン、帯域幅、分極化）の要件は異なる。しかしながら、このような適用に対し、コンパクトで低プロフィールのアンテナは、機械的な理由、または、一般に電子機器の小型化ゆえ、非常に重要である。アンテナのサイズが減少すると、効率が下がり、帯域幅が狭くなることがよく知られている。それゆえ、高性能とコンパクトサイズとの要件の衝突する性質のため、これらのアンテナの設計は非常にやり甲斐がある。さらに、複雑な環境とのアンテナの相互作用も性能に影響を及ぼす。これらの環境は、ユーザの身体または他の複雑な構造物の存在を含む。
【０００３】
米国特許出願US2010/0220031は、誘電構造が載置された、接地平面を有するワイドバンドの誘電アンテナであって、上記誘電構造の外側表面にプローブとして作用する複数の供給ストリップが取り付けられた誘電アンテナを開示している。
【０００４】
国際特許出願WO2005/093905は、レンズから出る信号を反射するように構成された導電性の接地平面の第１の部分に支持された、部分球状の誘電体レンズの第１のグループを有するアンテナを開示し、各レンズは、信号を注入するおよび／またはレンズによって伝搬される信号を受診するための、レンズの少なくとも１つの領域の周囲に配置された、関連する切り替え可能に選択可能な多数のアンテナ供給要素を有し、ここで、第１のグループの各アンテナと上記関連する供給要素とは、異なる向きを有し、また、異なる領域に関して受信範囲を提供するように動作されうる。このアンテナはまた、第１のグループのレンズによってカバーされない領域への受信範囲を提供するような向きを向いて動作可能な、１つまたはそれより多い球状または部分球状の誘電体レンズと、関連する切り替え可能に選択可能なアンテナ供給要素の第２のグループを有している。
【０００５】
本発明の目的は、効率が改善されて、比較的コンパクトに形成することができるアンテナを提供することにある。
【０００６】
本発明の好ましい実施形態では、広い分野の無線適用（Wi-Fi（登録商標）ネットワークを含む）のための改良されたレンズアンテナが発明される。この改良されたレンズアンテナは、少なくとも１つの電磁レンズと、上記レンズに接続された少なくとも１つの接地平面と、上記レンズに接続された少なくとも１つのプローブ構造体とを有し、上記プローブ構造体が、少なくとも２つのプローブを有し、少なくとも１つの上記プローブは、レンズによって取り囲まれており、少なくとも２つの上記プローブの互いの向きが、少なくとも部分的に、互いの電磁視界ラインの外側にプローブが配置されるような、向きになっており、電磁視界ラインは、プローブが、電磁的な観点から、お互いが見えないように、妨害される。まず、レンズアンテナの使用は、いくつかの利点を有する。レンズアンテナでは、電磁エネルギーが、プローブ構造体（供給システム）から遠ざかるように送信され、それゆえ、出射孔は、プローブ構造体によって妨害されない。さらに、レンズアンテナでは、電磁波は一方の側から入り他方の側から出るので、電気経路長を乱さずに、より大きな範囲の包み込みおよびねじりが可能であり、高い放射効率が得られる。さらに、レンズアンテナは、比較的コンパクトに形成することができる。レンズアンテナのさらなる重要な利点は、後述のように干渉を抑制するために、レンズアンテナのレンズを選択的に形成（設計）することによって、内部（レンズ内の）放射パターンと出射放射パターンとの両方を形成することができることである。さらに、レンズアンテナは、平坦な回路で容易に一体化することができる。単一のレンズアンテナで複数のプローブを使用することは、レンズアンテナの送信および／または受信能力が比較的効率的に改善されるというさらなる利点があり、これにより、さらに、マルチバンドアンテナとして作用することができる。同一のアンテナ要素がアレイ状に配置されるとき、または、複数の異なるアンテナが用いられるとき、それらは互いに相互作用する。それらが近接していることによるこの要素間の相互作用は、相互カップリングと呼ばれ、入力インピーダンスならびに放射パターンに影響を及ぼす。アレイ構造物を用いてより高いゲインを得るため、または、２つの他のアンテナプローブを用いて二分極化を少なくとも供給するために、複数の類似のアンテナプローブを実施することができることは、以前から注目されてきた。さらに、移動可能な適用では、マルチバンドの動作を提供するために、限定された利用可能空間では、複数の異なるアンテナプローブでさえ、用いることができる。このような種類のアンテナでは、相互カップリングは、単純に、２つのアンテナプローブ間の干渉値として規定され、これは、できるだけ低くすることが望ましい。相互カップリングを抑制するために、本発明に係るレンズアンテナでは、少なくとも２つの上記プローブの互いの向きが、少なくとも部分的に、互いの電磁視界ラインの外側にプローブが配置されるような、向きになっている。プローブはお互いが見えないので、レンズ内の電磁干渉が最小に保たれる。互いの視界のラインの外側にプローブを配置するのは、例えば、プローブ間に少なくとも１つの反射要素を配置するこ���によって実現することができ、ここで、好ましくは、少なくとも１つの上記反射要素が、少なくとも１つの上記反射要素によって上記プローブの間の直線が妨害されるような位置に配置されている。これは、プローブを、ラインの外側に配置することを促進する。少なくとも１つの反射要素は、個別の反射要素とすることができる。この反射要素は、レンズによって取り囲まれ、ここで、反射要素は、実際、個別の内部反射器として考慮されることができる。しかしながら、このような個別の反射要素の適用は、通常、アンテナの効率に影響を及ぼす。それゆえ、少なくとも１つのプローブによって送信される電磁放射が、少なくとも部分的に、少なくとも１つの他のプローブから遠ざかる方向に、上記レンズの少なくとも１つの周囲壁によって反射されることが好ましい。この目的のために、レンズの周囲壁は、好ましくは、少なくとも部分的に凹に形成され、プローブの視界のラインの妨害を促進する。いくつかの実施形態では、周囲壁は、少なくとも部分的に波形形状であるか、または、少なくとも１つの他のプローブから遠ざかる方向にプローブによって送信される電磁放射の反射を増加するようなプロフィール（輪郭）であるようにすることができる。さらなる特定の実施形態では、周囲壁は、少なくとも部分的に波形形状であり、かつ、少なくとも１つの他のプローブから遠ざかる方向にプローブによって送信される電磁放射の反射を増加するようなプロフィールであるようにすることができる。
【０００７】
本発明に係るアンテナは、電磁放射を受信するおよび／または送信するために用いることができる。それゆえ、プローブ構造体の機能性は、アンテナの所望の機能性に依存する。それゆえ、プローブ構造体が、電磁放射を受信するおよび／または送信するように構成されていることが考えられる。上記プローブ構造体は、少なくとも１つのプローブを有する。通常、プローブの、形状と寸法とを含めた形状は、アンテナの特定の目的および適用に完全に依存している。種々のタイプのプローブを用いることができる。よく知られたプローブは、同軸上に供給されるプローブであり、このプローブは、レンズ内部に、少なくとも部分的に収容されており、それゆえ、このプローブは、レンズによって少なくとも部分的に取り囲まれている。この目的のために、通常、レンズには、プローブを収容するための収容空間が設けられている。プローブはまた、レンズの中へは延びずにレンズのベース平面に接続するだけの、導波管によって形成することもできる。いくつかの実施形態では、プローブは、レンズのベース平面に延びるマイクロストリップによって形成することができる。別の実施形態では、プローブは、接地平面とレンズとの間に位置するパッチによって形成することができる。通常、パッチの適用は、球面波面の生成を増加させ、それゆえ、レンズ内にて、実質的に均一な電力密度分布の生成を増加させる。したがって、本発明に係るレンズアンテナでは、種々のタイプのプローブを用いることができる。
【０００８】
レンズアンテナに単一のプローブが用いられる場合、アンテナは、単一の指定された周波数帯域内で動作するのに適している。周波数帯域の周波数範囲は、アンテナの適用に完全に依存する。最近、多くの移動通信システムが、GSM（登録商標）  ９００／１８００／１９００帯域（８９０−９６０ＭＨｚおよび１７１０−１９９０ＭＨｚ）；Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ（ＵＭＴＳ）およびＵＭＴＳ  ３Ｇ拡張帯域（１９００−２２００ＭＨｚおよび２５００−２７００ＭＨｚ）などのいくつかの周波数帯域や；極超短波（１−１００ＧＨｚ）の周波数帯域、特に、衛星通信に用いられるＫa帯域（２６．５−４０ＧＨｚ）およびＫu帯域（１２−１８ＧＨｚ）；およびWi-Fi（登録商標）（ワイファイ）／無線ローカルエリアネットワーク（ＷＬＡＮ）帯域（２４００−２５００ＭＨｚおよび５１００−５８００ＭＨｚ）を用いる。しかしながら、本発明の好ましい実施形態に係るレンズアンテナは、上記の公知の周波数帯域の列挙に限定されない。
【０００９】
従来、単一のアンテナは、移動通信のこれらのすべての周波数帯域で動作することはできないので、これらの帯域を別個にカバーする複数の異なるアンテナを用いることができた。しかしながら、多くのアンテナを用いることは、通常、体積や、適用のコストの制約により制限される。それゆえ、移動通信の多機能動作を行うには、マルチバンドやワイドバンドのアンテナが必要である。移動通信システムにおけるマルチバンドのアンテナは、全く別の周波数帯域で動作するが、それらの帯域の間の中間の周波数では動作しないアンテナと規定することができる。この目的のために、プローブ構造体は、複数のアンテナポートをもたらす複数のプローブを有することが好ましい。これらのプローブの動作は再構成可能とすることができる。最近、再構成可能なアンテナの開発において産業および科学研究団体によって大きな努力が行われている。この関心は、将来の極超短波システムの多目的なフロントエンドの必要性によって後押しされており、これは、レーダー、通信、方向およびスペクトル「吸入」または制御などの、増加する機能性をサポートするであろう。さらに、個人的な無線または車と車との間の通信装置は、典型的には、多くの規格（例えばＵＭＴＳ、Bluetooth（登録商標）、Wi-Fi（登録商標）、ＷｉＭＡＸ、ＤＳＲＣ）をサポートしなければならない。再構成可能なアンテナは、構成の一部または全体が特定の動作モードに関与するように、アンテナの体積を異なる周波数帯域で再使用することができる。従来のフロントエンド構造のアンテナの再構成可能性は、異なる動作シナリオでの適用のための装置の性能を最適化するために適した切り替え装置の状態を変化させることによって達成することができる。この概念を実行するためにいくつかのアプローチが提案されてきている。これらのアプローチのほとんどは、ソリッドステートまたは電磁スイッチに頼っている。前者は、ＰＩＮダイオード、バラクターまたは電界効果トランジスタ（ＦＥＴ）に基づいたスイッチを含み、後者は、単純なリレーと、多くの異なるタイプのマイクロ電気機械システム（ＭＥＭＳ）を含む。提案されたマルチポートのスーパー形成アンテナの概念では、動作の周波数および／または放射特性などの関係する回路特性を動的に調整するために、アンテナの入力端子に接続された適したソリッドステートの調整回路が用いられる。装置の再構成可能性は、技術的には、入力ポートでの供給／負荷条件を変化させ、それによってアンテナ構造内の回路分布を変化させることによって達成される。
【００１０】
採用される複数供給機構は、アンテナ性能の容易な広範囲調整性を可能にしており、また、装置の性能の低下を招く恐れのあるアンテナポート（プローブ）間の偽の電磁結合のレベルを最小化するような方法で最適化する必要がある。これに関連して、考慮された装置は、実際、種々のポート間の透過係数が入力電力反射レベルを完全には補償しないような周波数でアンテナとして働くということを強調しておくべきである。アンテナの特性に影響を与える自然共鳴プロセスは、入力ポートｉ＝０，１，…，Ｎでの負荷インピーダンスＺiを適切に調整することによって活性化または抑制することができ、ここで、Ｎはアンテナ供給の個数である。このとき、装置の放射効率η（Ｚi）を、所望の空間方向の先頭の電波信号への入力電力を最小化するようなものとすることに注意すべきである。これに関し、率直に示すと、アンテナにより放射される電力は、Ｎ個のポートのネットワークとみなすと、入射波および反射波のベクトル
【００１１】
【数１】
0006001181.tif 000002
【００１２】
をそれぞれ用いて、以下のように容易に表現することができる：
【００１３】
【数２】
0006001181.tif 000003
【００１４】
ここで、上付き文字「H」は、エルミート転位（Hermitian transposition）を表し、
【００１５】
【数３】
0006001181.tif 000004
【００１６】
はいわゆる損失マトリクスであり、
【００１７】
【数４】
0006001181.tif 000005
【００１８】
は通常の単位のダイアドの和である。装置の分析と最適化を促進するために、関連回路のふるまいに反応する物理的機構で有利な見識を得る一方で、特異値分解に基づく「Ｓ」パラメータの表現を採用する。この因数分解は、
【００１９】
【数５】
0006001181.tif 000006
【００２０】
によって得られ、ここで、
【００２１】
【数６】
0006001181.tif 000007
【００２２】
と
【００２３】
【数７】
0006001181.tif 000008
【００２４】
は、それぞれ、左と右の特異ベクトルの単位マトリクスであり、
【００２５】
【数８】
0006001181.tif 000009
【００２６】
は、対応する指令された特異値σnの対角線マトリクスである。したがって、Ｓ−マトリクス相関
【００２７】
【数９】
0006001181.tif 000010
【００２８】
は、
【００２９】
【数１０】
0006001181.tif 000011
【００３０】
のように書くことができる。規格化された波ベクトル
【００３１】
【数１１】
0006001181.tif 000012
【００３２】
および
【００３３】
【数１２】
0006001181.tif 000013
【００３４】
を考慮すると、装置のふるまいは、切り離された１つのポートの接合部の自然な反応の重ね合わせとして記述することができ、ここで、ｎ番目の接合部は、正の反射係数σnを表す。それゆえ、回路の特性、ならびに、アンテナの放射特性は、主に、関連する散乱マトリクスの特異値によって規定されると容易に結論付けることができる。実際に、（１）および（２）を（４）と組み合わせることによって、停止依存の放射効率の表現が、ある代数学
【００３５】
【数１３】
0006001181.tif 000014
【００３６】
に従うことがわかり、ここで、
【００３７】
【数１４】
0006001181.tif 000015
【００３８】
は、構造の末端で受け入れられる電力を示す。それゆえ、明らかに、最適なアンテナ動作は、特異値σnを最小化することによって達成される。このようにして、当該周波数帯域での適切なアンテナ動作に対して、入力ポートの最適な負荷条件Ｚi（ｉ＝０，１，…，Ｎ）を選択することができる。
【００３９】
いくつかの実施形態では、これらのアンテナはまた、アレイでも用いることができ、平坦なアレイだけでなく、３Ｄスーパー形状に基づく仕立てられた３Ｄアレイでも用いることができる。レンズアンテナの考慮されるクラスは、次世代の無線レーダー、インピーダンスマッチングおよび放射特性の要件を満たす空間適用の安価なアレイの設計のために最適化することができる。これに関して、不均一に間隔を置いた平坦なアレイの採用が描かれている。アンテナ要素の個数を減らした放射パターンの適切な形成は、重量、コスト、および供給ネットワークの複雑さを低減する。要素間の平均距離を大きくすると、寄生アンテナ結合レベルが小さくなる。非周期的な間隔によって、パターンスキャンが実行されても、目に見える空間には、アンテナのメインローブのレプリカは発生しない。提案されたアレイ構成のためのビーム形成では、各アンテナ要素の振幅と位相との両方が制御されるべきである。サイドローブレベルを調整するため、および、位相制御だけで達成できるものよりも良い零を操作するために、振幅と位相との組み合わされた制御を用いることができる。
【００４０】
レンズアンテナに所望のマルチバンドの機能性を与えるために、少なくとも２つのプローブの形状を互いに異ならせることが望ましい。既述のように、形状は、プローブの形状と寸法の両方を含む。異なるプローブの形状を異ならせることによって、異なる放射特性が得られ、所望のマルチバンドの機能性が容易に得られる。プローブの好ましい長さは、レンズの材料、特に、レンズの材料の誘電率と、所望の周波数または周波数帯域との両方に依存する。例を挙げると、ポリマーレンズ、特にポリ塩化ビニル（ＰＶＣ）から出来ているレンズで、無線ローカルエリアネットワーク（ＷＬＡＮ）の適用のために５ＧＨｚ周波数帯域で動作すべきであるものが用いられる場合には、プローブの長さは好ましくは４ないし８ｍｍである。２．４ＧＨｚ周波数帯域で動作させるために（同じアンテナの）別のプローブが構成される場合には、プローブの長さは好ましくは１０ないし１８ｍｍである。少なくとも１つのプローブの直径は、好ましくは１ないし３ｍｍである。
【００４１】
上述のように、本発明に係るレンズアンテナは、従来のアンテナと比べて比較的コンパクトな寸法とすることができる。レンズの高さは、好ましくは５ｃｍに等しいかそれより小さく、これは、通常、本発明に係るレンズアンテナの適切な機能付けを可能にするのに十分である。
【００４２】
レンズは、少なくとも部分的に、誘電材料で出来ており、より好ましくは、２ないし９０の誘電率を有する誘電材料で出来ている。比較的高い誘電率を有する材料を選択することによって、レンズのサイズを著しく減少させることができる。レンズは、少なくとも部分的に、少なくとも１つのセラミックから出来ているとすることができる。セラミックの誘電率（ε）は、４．５ないし１００の範囲である。４．５ないしおよそ６の範囲のεを有する誘電体は、典型的には、それぞれ、ケイ酸マグネシウムアルミニウムおよびケイ酸マグネシウム化合物に基づく。１３ないし１６の範囲のεを有する誘電体は、化合物Ｍｇ2ＴｉＯ4およびＭｇＴｉＯ3に基づく。ε＞１６の低ロスなセラミックを得るために、いくつかの道筋に従うことができる。ＣａＴｉＯ3は、比較的緩やかなロスを示すが、高いε（１５０〜１６０）および、非常に大きな、εの負の温度係数（およそ−１６００ｐｐｍ／℃）を有する。さらには、ＣａＴｉＯ3は、Ｍｇ2ＴｉＯ4（ε〜１３）およびＭｇＴｉＯ3（ε〜１６）と化学的に互換性がある。なお、チタン酸マグネシウムは、中程度の、εの正の温度係数を有する。それゆえ、Ｍｇ2ＴｉＯ4にＣａＴｉＯ3を加えて構成される複合物セラミックは、任意の所望の値で、１３ないしおよそ１５０のεをカバーすることができ、ＭｇＴｉＯ3にＣａＴｉＯ3を加えた複合物は、ほぼ同じ範囲、１６ないしおよそ１５０をカバーする。およそ３７ないしおよそ１００のεをカバーする低ロスなセラミックは、チタン酸バリウムから生成することもできる。典型的には、このシリーズの低端は、化合物ＢａＴｉ4Ｏ9である。ＴｉＯ2含有量を少し増加させると、ＢａＴｉ4Ｏ9／Ｂａ2Ｔｉ9Ｏ20セラミック複合物または純粋なＢａ2Ｔｉ9Ｏ20が得られる。しかしながら、εは、３７ないし３９の範囲のままであり、εの温度係数は非常に小さいがわずかな負値である。ε〜３９ないし１００の領域は、Ｂａ2Ｔｉ9Ｏ20にＴｉＯ2を加えて構成されるセラミックによって特徴付けられる。εおよびεの温度係数は、ＴｉＯ2（ε＝１００）含有量の増加によって大きさが急速に上昇する。４．５ないし１０の比較的低い誘電率を有するセラミックは、通常、レンズ材料として用いるのに最も適していることがわかった。
【００４３】
しかしながら、いくつかの実施形態では、これは好ましいことが多いのであるが、レンズは、ガラス、特に、Pyrex（登録商標）（Corning Incorporatedから商業的に利用可能な、透明で熱膨張が小さいホウケイ酸塩ガラス）、水晶、シリカ（二酸化ケイ素）、強誘電性の誘電材料、液晶、少なくとも１つのポリマー、特に、ポリ塩化ビニル（ＰＶＣ）、ポリスチレン（ＰＳ）、ポリイミド（ＰＩ）、バイオプラスチック（野菜の油脂、とうもろこしデンプン、エンドウ豆デンプンまたは微生物相などの再生可能な生物資源由来のプラスチック）、フッ素プラスチック；および／または、金属酸化物、特に、酸化チタン、酸化アルミニウム、酸化バリウムまたは酸化ストロンチウム、から、少なくとも部分的に出来ている。特に、適用は、通常、財政上の見地および設計上の見地の両方から用意される。ポリマーは、比較的安く、また、従来の成形、押し出し成形、および／または熱成形技術を用いて形成しやすく、また、著しく設計自由度が高い３Ｄ印刷を用いてさえ形成することができる。これに関連して、いくつかの実施形態では、流体、好ましくは空気または脱塩水（誘電体として作用する）、で少なくとも部分的に満たされた少なくとも１つの内部空間を取り囲む、少なくとも１つのガラス、水晶、および／または少なくとも１つのポリマーから、少なくとも部分的に出来ているシェルを有するレンズを適用することができる。空気と水の適用によって、用いられる他の材料の量が減少し、これにより、レンズの、またそれゆえ、本発明に係るアンテナの、費用が減少する。レンズは、誘電体共振器アンテナ（ＤＲＡ）をもたらす誘電体共振器とすることができる。電磁放射は、電波として導入され、送信回路から共振器材の内部へ入り、波は、共振器の壁の間で前方および後方へ跳ね返り、定常波を形成する。共振器の壁は、電波に対し、部分的に透明であり、これにより、電波出力が空間内へ放射することができる。それゆえ、この共振レンズは、金属部分が欠けており、このことは、レンズ内のエネルギー損失に影響を及ぼし、それゆえ、従来の金属アンテナよりも、ロスが少なく、より効率的である。
【００４４】
本発明の好ましい実施形態では、この改良されたレンズアンテナは、少なくとも１つの電磁レンズと、上記レンズに接続された少なくとも１つの接地平面と、上記レンズに接続された少なくとも１つのプローブ構造体とを有し、少なくとも１つのベースプロフィールを有する、少なくとも１つの上記レンズと少なくとも１つの上記接地平面とのうちの少なくとも１つが、実質的にスーパー形成され、スーパー形成された上記ベースプロフィールが、極関数
【００４５】
【数１５】
0006001181.tif 000016
【００４６】
によって規定され、
ρd（φ）が、ＸＹ平面に位置する曲線であり、
φ∈ [０，２π）が、角座標である。
【００４７】
提案されたアンテナは、非常に構成が簡素で、容易に機械加工でき、それゆえ安価である事実にもかかわらず、動作帯域幅、最大ゲイン、放射パターンの鋭敏さの点で、無線通信に現在用いられるアンテナよりも驚くほど著しく優れている。さらに、考慮されたアンテナは、持続可能な技術を用い、環境に優しい。特に、レンズおよび／または接地平面のベースプロフィールの形状は、科学文献でスーパー式（またはGielisの式）として知られる極関数およびその３次元空間への一般化によって規定される。スーパー式は、J. Gielisへの米国特許No. 7,620,527に詳述されており、その全開示内容は、参照によってここに導入される。また、本発明は、２０１０年７月２１日に出願されてJohan Gielisにコンピュータインプリメンテッドツールボックスの資格を与えられた米国仮出願No. 61/356,836の全記載を参照によって導入し、この特許の全内容は、ここに全てを記載するのと同様に、参照によってここに導入される。また、本発明は、２０１１年６月２２日に出願されてJohan Gielisにコンピュータインプリメンテッドツールボックスの資格を与えられた米国仮出願No. 13/165,240の全記載を参照によって導入し、この特許の全内容は、ここに全てを記載するのと同様に、参照によってここに導入される。米国特許No. 7,620,527は、パターン（例えば画像など、音や電磁波や他の信号などの波形など）が、新規な数式を用いてプログラミングされたコンピュータを用いることによって、合成され、調整され、および／または、分析される。式は、多様な形状、波形およびその他の表現を生成するのに用いることができる。
【００４８】
米国特許No. 7,620,527の形状的な概念は、モデリング、および、特定の自然の形状と形式とがなぜそのように成長するのかの説明に有用である。米国特許No. 7,620,527で説明されているように、その発明者は、ほとんどの幾何形状と通常の形状とが、円や多角形も含めて、以下の式の特別な現実化として記載することができることを発見した。
【００４９】
【数１６】
0006001181.tif 000017
【００５０】
米国特許No. 7,620,527は、この式とその表現とが、例えば、パターン（すなわち、画像パターンや、電磁（例えば電気、光など）、音および他の波形または信号パターン）などの「合成」および／または「分析」との両方にどのように用いることができるかを説明している。
【００５１】
種々のパターンを合成するために、種々のパターンが合成できるようにこの等式のパラメータを修正することができる。特に、上記の等式に現れているパラメータを加減することができる。回転対称（ｍ）、ベキ指数（ｎ1〜ｎ3）および／または短軸および長軸（ａ，ｂ）の数を加減または調整することによって、多様な、自然の、人工の、および、抽象的な形状を、２次元および３次元の空間に生成することができる。
【００５２】
米国特許No. 7,620,527の図１には、スーパー式演算子を用いた、パターンの合成のためおよび／またはパターンの分析のための種々の実施形態に含まれうる種々の構成要素を示す概念図が示されている。米国特許No. 7,620,527に記載のように、第１の態様によれば、上記図１を参照した説明目的のために、形状または波は、以下の説明的な基本的なステップの適用によって「合成」することができる：第１のステップでは、（例えば、コンピュータ１０に、すなわち、キーボード２０、タッチスクリーン、マウスポインタ、音声認識装置または他の入力装置などを介して、値を入力することによって、または、コンピュータ１０に値を指定させることによって、）パラメータの選択が行われ、コンピュータ１０が、パラメータの選択に基づいて、選択されたスーパー形状を合成するのに用いられる。オプションの第２のステップでは、選択された形状を適合させるため、最適化を計算するため、などのために、スーパー式を用いることができる。このステップは、グラフィックプログラム（例えば２Ｄ、３Ｄなど）；ＣＡＤソフトウエア、有限要素分析プログラム；波生成プログラム；またはその他のソフトウエアの使用を含むことができる。第３のステップでは、コンピュータで計算されたスーパー形状を物理的な形式に変換するために、第１または第２のステップからの出力が用いられ、そのとき、以下のものなどを介する：（ａ）モニタ３０にスーパー形状３１を表示して、プリンタ５０（２−Ｄまたは３−Ｄ）から紙などの貯蔵材５２に式を印刷し；（ｂ）（例えば、ステップ３の出力に基づいて、機械、ロボットなどの外部装置６０を制御することによって、）コンピュータ支援製造を行い；（ｃ）スピーカシステム７０などを介して音７１を生成し；（ｄ）ステレオリソグラフィを行い；（ｅ）ラピッドプロトタイピングを行い；および／または（ｆ）このような形状を変換する技術で公知の他の方法で上記出力を利用する。
【００５３】
米国特許No. 7,620,527は、合成（例えば形状の生成など）および分析（例えば形状の分析など）を議論している。分析に付いて、米国特許No. 7,620,527は、このように説明している：限定はされないが、一般に、形状または波は、以下の基本的なステップの適用によって「分析」できる（これらのステップは、逆に、前述の合成のステップと類似している）：第１のステップでは、パターンが、コンピュータに（例えばデジタル形式で）スキャンまたは入力されることができる。例えば、オブジェクトの画像をスキャン（２−Ｄまたは３−Ｄ）することができ、マイクロフォンが、音波を受信することができ、または、電気信号（例えば電波）を入力することができ、例えばＣＤ−ＲＯＭ、ディスク、内部または外部フラッシュドライブなどのコンピュータ読み取り可能なメディアからのデータを入力することができ、データは、インターネットまたはイントラネットなどを介するなどしてオンラインで受信することができる。例えばデジタルカメラまたは他のカメラ（例えば単一の画像や連続したリアルタイムの画像など）を用いる等して、種々の他の公知の入力技術を用いることができる。図１は、イメージスキャナ１００（例えば画像を紙または写真などの貯蔵材上の画像をスキャンするのに用いられるドキュメントスキャナまたは他のスキャナ装置）および／またはレコーダ２００（例えばマイクロフォンなどを介して波形を受信する）が、コンピュータ１０に接続されて用いられる例を示している。第２のステップでは、例えばスーパー式の、パラメータの選択値を決定するために、画像が分析される。このステップでは、分析された信号はまた、識別、分類、比較などにも用いることができる。いくつかのコンピュータ分析のケースでは、コンピュータは、基本要素の（例えばメモリに格納した）ライブラリまたはカタログを有することができる（例えば、分類されたスーパー形状をパラメータの値によって分類する）。このような後者のケースでは、コンピュータは、その後、ライブラリまたはカタログ内の情報に基づいてスーパー形状を概算し、識別し、分類し、および／またはその他を行うことができる。基本要素のカタログは、例えば、パターンまたは形状の第１の概算について用いることができる。オプションの第３のステップでは、分析された信号が、所望に加減されることができる（例えば、動作は、合成の第２の一般的なフェーズまたはステップに関して上述したものと同様に行うことができる）。第４のステップでは、出力が生成される。出力は、以下のものを含むことができる：（ａ）視覚的（例えば表示や印刷）または聴覚的（例えば音）な出力を行う；（ｂ）（例えばある条件が決定されれば）特定の装置の動作を制御する；（ｃ）分析されたパターンに関する表示を行う（例えば、識別、分類し、好ましいまたは最適な構成を識別し、欠陥または異常を識別し、など）；（ｄ）その分野の者が視覚的に理解できる他の形式の出力または結果を生成する。この分析では、パターンがデジタル化された後、コンピュータが、あるタイプの表現を用いて処理する。化学的なパターンの場合は、ＸＹグラフが選択されるべきである。閉じた形状の場合は、修正フーリエ分析が選択されるべきである。コンピュ���タは、デジタル化されたパターンを表現するために等式の正しいパラメータの評価を行うのに（例えばソフトウエアを介して）適合されるべきである。
【００５４】
上記のスーパー式は、素粒子から複雑な一般化されたLame曲線までの範囲で、自然および人工の形状の統一された記述を可能にする。発明されたアンテナは、設計の自由度の程度を増加させ、調整可能な電磁特性を持つ多様な放射構造およびセンサへの道を開くことができる。
【００５５】
これに関連して、提案されたスーパー形成されたレンズアンテナは、ロスが減少する（実質的に、金属のロスがない）、高い放射効率、および平坦な回路で集積の容易さとの理由で明らかな利点を有する。さらに、このレンズアンテナは、高い柔軟性と広い周波数範囲にわたる用途の広さを提供し、設計者が種々の要件を満たすことを可能にする。来るＷｉＭｅｄｉａ規格を満たす実験的なプロトタイプで行われる数的な調査や測定は、安定な放射パターンとゲイン値とを維持しながら考慮されたアンテナが非常に広い周波数帯域（７０％を超える）にわたって動作可能であることを確認している。達成された結果に基づき、提案されたアンテナは、インドアのマルチメディア無線システムのためのアクセスポイントとしての適用を見出すことができると結論でき、また、どこまで広くても、円滑で、周波数にわたって安定な、放射パターンが望ましく、これは、浮かび上がってきた、レーダー、無線および衛星技術の低コストな適用において特に重要である。
【００５６】
実際、レンズアンテナは、３次元形状を有するレンズおよび／または接地平面を有する。レンズおよび／または接地平面の複数のベースプロフィールが実質的にスーパー形成されて、各スーパー形成されたベースプロフィールが、請求項１に係る極関数（スーパー式）によって規定されることが好ましい。このようにして、スーパー形成されたレンズおよび／またはスーパー形成された接地平面が生成され、これは通常、そのようなものとしてレンズアンテナの電力分布パターンおよび強度において有利である。この３次元スーパー形成された構成要素では、通常、まず、請求項１に係るスーパー式によって第１のベースプロフィールが規定され、請求項１に係るスーパー式によって少なくとも１つのさらなるベースプロフィールが規定される。この両方のベースプロフィールは、通常、最終的なスーパー形状の断面を規定し、言い換えれば、第１のベースプロフィールはプロフィールを規定し、他のベースプロフィールは、第１のベースプロフィールが回転するときに沿う経路を規定する。それゆえ、３次元形状は、複数の２次元形状の重ね合わせの結果とすることができる。例えば、三角形のベースプロフィールが結合した正方形のベースプロフィールは、ピラミッド形状となり、長方形のベースプロフィールが結合した涙のしずく形状のベースプロフィールは、翼形状となる。このようにして、無限の数の３次元のスーパー形状を生成することができる。３次元形状はまた、外側表面を結合させた結果とすることができ、ここで各外側表面は、請求項１に係るスーパー式を満たす。例えば、正１２面体(dodecaeder)は、５角形形状の面を有し、各５角形は、請求項１に係る２次元のスーパー式を満たす。例えば、正２０面体(icosaeder)にも同様のことが言え、各独特の面は、スーパー式に準拠する三角形によって規定される。
【００５７】
レンズおよび／または接地平面の３次元形状のパラメータ表現は、２つの垂直な断面ρ1（θ）およびρ2（φ）：
【００５８】
【数１７】
0006001181.tif 000018
【００５９】
に基づいており：
ρが、請求項１に示される関数で規定され、
０≦θ≦２π、および、
−(1/2)π≦φ≦(1/2)πである。
【００６０】
極関数として書くと、レンズおよび／または接地平面の３次元形状は、
【００６１】
【数１８】
0006001181.tif 000019
【００６２】
として規定することができ：
【００６３】
【数１９】
0006001181.tif 000020
【００６４】
であり、
【００６５】
【数２０】
0006001181.tif 000021
【００６６】
０≦θ≦２π、および、
−(1/2)π≦φ≦(1/2)πである。
【００６７】
上記極関数は、球座標では、
【００６８】
【数２１】
0006001181.tif 000022
【００６９】
と書き直すことができ、
ｐとｑは対称パラメータであり、
γ1、γ2、γ3は、上述のパラメータａ、ｂに類似したものであり、
ν0、ν1、ν2、ν3は、パラメータｎ0、ｎx、ｎy（またはｎ0、ｎ1、ｎ2）に類似したものであり、
【００７０】
【数２２】
0006001181.tif 000023
【００７１】
０≦θ≦π、および、
０≦φ≦２πである。
【００７２】
好ましくは、スーパー形成されたレンズアンテナ、特に、誘電体共振器アンテナ（ＳＤＲＡ）、の設計は、それを普通の円筒型の誘電体共振器アンテナに類似させることによって行う。まず、レンズベースの等価半径は、
【００７３】
【数２３】
0006001181.tif 000024
【００７４】
のように規定され、ρd（φ）は、Gielisの等式：
【００７５】
【数２４】
0006001181.tif 000025
【００７６】
によって得られ、これは、レンズの、特に、レンズベースの、ベースプロフィールを記述している。他方、レンズ長さ（ｈd）は、アンテナの中央の動作周波数（ｆc）での誘電材料における波長くらいになるように選ばれ、すなわち、
【００７７】
【数２５】
0006001181.tif 000026
【００７８】
であり、ｃ0は、真空中の光速であり、εrは、レンズを形成する材料の相対的な誘電率である。動作の広周波数帯域を達成するために、レンズの断面の寸法は、以下のアスペクト比が得られるように設定される：
【００７９】
【数２６】
0006001181.tif 000027
【００８０】
プローブの位置と長さは、経験則から、全波分析（full-wave analysis）によって決定される。
【００８１】
好ましい実施形態では、電磁レンズ、特に、レンズの接地表面または底表面（通常接地平面に平行）によって形成された電磁レンズ、および／または接地平面は、少なくとも１つのベースプロフィールを有し、このベースプロフィールは、実質的にスーパー形成され、ｍ≧４である。このパラメータ条件は、１つのベースプロフィールについて、ｍ＝０と数える円筒形状のレンズの場合と比べて、より対称的な空間電力密度分布が得られる鋭利な先端を含むレンズの、従来にない対称的な形状をもたらす。このようにして、複数の焦点方向に電磁放射を放射することができる。鋭利な先端の存在は、好ましいアンテナの放射効率を必ずしも減少させない。さらなる好ましい境界条件は、ａ≠ｂであり、好ましくは、ｎx、ｎy、およびｎ0のうちの少なくとも１つの値が２から逸脱する。また、これらの境界条件は、従来にない形状のレンズをもたらす。これは、プローブをレンズの（周囲の）鋭利な先端に配置でき、それによって、プローブの互いの干渉を最小化する。プローブは、レンズの収容空間内に収容される。これらの収容空間の配置は、好ましくは、プローブが、互いの視界のラインの外側に位置するように配置される。
【００８２】
接地平面は、平坦とするか、湾曲されたおよび／または角を付けたような、非平坦とすることができる。いくつかの実施形態では、レンズおよび接地平面は、共に、いわゆるトランスデューサーを形成し、上述のスーパー式に準拠するベースプロフィールを有する。いくつかの実施形態では、接地平面とレンズとが同等の形状を有する、または、同等の形状のベースプロフィールを有することが検討される。しかしながら、いくつかの実施形態では、接地平面とレンズとのうちの少なくとも一方の、少なくとも１つのベースプロフィールが、請求項１で述べたようなスーパー式に準拠するならば、接地平面の形状は、レンズの形状と完全に異なるものとすることができる。
【００８３】
好ましくは、実質的にスーパー形成された上記ベースプロフィールが、上記接地平面によって規定される平面に実質的に平行な方向に延びる上記レンズのベースプロフィールである。通常、これは、空間電力密度分布に有利である接地平面によって規定される（中央の）平面に垂直な向きを向いているレンズの対称軸をもたらす。この実施形態は、プリズムのような、（従来にない）多面体の形状を有するレンズの適用を可能にし、ここで、多面体の、ｎ個の面を持った多角形のベースが、接地平面の方を向き、最終的には、接地平面の上に載置される。
【００８４】
好ましい実施形態では、上記接地平面の、上記レンズのほうを向いている表面が、少なくとも部分的に、反射的である。接地平面は、平坦または曲線（カップ形状またはボウル形状）とすることができ、他のアンテナ要素からの電磁波を反射する導電性の表面を有する。平面は、必ずしも接地されていなくてよい。接地平面としての機能には普通のこととして、導電性の表面は、大きさが、電波の波長の少なくとも４分の１（λ／４）でなければならない。もっと高周波のアンテナに対しては、ＶＨＦまたはＵＨＦの範囲では、接地平面は、例えば金属盤またはスクリーンによって形成されることができる。上位(upper)のＶＨＦおよびＵＨＦの周波数では、車や飛行機のメッキ層が、そこから突出するホイップアンテナのための接地平面として作用することができる。接地平面は、連続的な表面を有していなくてもよい。接地平面アンテナにおいて、「平面」は、４分の１の波のホイップアンテナのベースからλ／４長放射を行ういくつかのワイヤからなる。接地平面から反射する、レンズから（または他のアンテナから）の電波は、接地平面の他方に配置されたアンテナの鏡像から生じると思われる。モノポールアンテナでは、モノポールアンテナの放射パターンと、仮想的な「像アンテナ」とを合わせたものが、２つの要素の中央に供給されるダイポールアンテナのように見える。そのため、理想的な接地平面の上に載置されたモノポールは、ダイポールアンテナと同一の放射パターンを有する。送信機または受信機からの供給ラインは、モノポール要素の底端と接地平面との間に接続されている。接地平面は、好ましくは、良好な導電性を有し；接地平面のどのような抵抗も、アンテナと直列であり、送信からの損失出力に作用する。接地平面は、プリント回路基板（ＰＣＢ）に結合されていてもよい。これにより、回路の設計が容易になり、設計者が追加の銅トレースをせずに任意の要素を接地することができ；接地が必要な要素銅ワイヤは、基板の穴を直接通り、別の層上の接地平面へと達する。銅の大きな領域はまた、著しい電圧降下無しに、多くの要素から大きな反流を導き、全ての要素の接地接続が同一の基準電位であることを確実にする。しかしながら、この特定の目的のために、大きな接地平面を用いる主な理由は、通常、回路の一つの部分から他の部分へと、接地（接地ループ）を介して結合された電気的なノイズおよび干渉と、隣接回路トレース間のクロストークとを減少させることである。
【００８５】
デジタル回路が状態を切り替えると、集積回路から接地回路を通じて大きな電流パルスが流れる。もし電源と接地のワイヤとが大きな抵抗を有すれば、それらの間の電圧降下が、接地ワイヤにノイズ電圧パルスを生成することができ、このパルスは、回路の他の部分に印加される。接地平面のキャパシタンスが大きいので、このキャパシタンスは、電圧の大きな変化無しに、電流パルスを吸収することができる。さらに、プリント回路トレース下の接地平面は、隣接トレース間のクロストークを減少させることができる。２つのトレースが平行であると、他方にリンクする、一方からの磁力線による電磁誘導によって、１つのトレースの電気信号が、他のトレースへと結合されることができ；これはクロストークと呼ばれる。接地平面層が下部にあれば、接地平面は、トレースとともに、送信ライン（ストリップライン）を形成する。反対を向いた反流は、トレースの真下の接地平面を流れる。これは、トレースと接地平面との間の領域への電磁界を制限し、クロストークを減少させる。
【００８６】
レンズアンテナにおいて、指向性パターンは、空気中の電磁波の伝搬の位相速度と、レンズ材料（ｎ≠１）中の電磁波の伝搬の位相速度と、の違いの結果である。レンズの形状は、屈折率ｎ（真空中の電波の伝搬の位相速度とレンズ中の電波の伝搬の位相速度との比率）に依存する。光学的に減速させるレンズアンテナは、ｎ＞１のものである。この種類のアンテナのレンズは、好ましくは、ポリマーのような、高品質で低ロスな均一な誘電体から出来ている。
【００８７】
プローブ構造体は、第１の周波数帯域で通信するように構成された少なくとも１つの第１のプローブと、第２の周波数帯域で通信するように構成された少なくとも１つの第２のプローブと、を有し、これにより、アンテナは、Multiple Input Multiple Output（ＭＩＭＯ）システムにおいて実施することができる。ＭＩＭＯ技術は、現代の無線通信において非常に高い帯域幅効率とより大きなデータレートとを達成するための新しい技術として近年開発されてきた。ＭＩＭＯ技術においては、通信システムの入力側と出力側とに複数のアンテナが置かれ、チャネル容量を改善している。送信機側と受信機側とで採られる、ＭＩＭＯ供給チャネルの多次元の統計学的なふるまいとアンテナの設計パラメータとが、データレートの改善を担う。多重入力多重出力（ＭＩＭＯ）技術は、最新の実例であり、そこでは、送信機と受信機との両方で複数のアンテナが用いられ、通信性能を改良する。それは、スマートアンテナ技術のいくつかの形式のうちの一つである。ＭＩＭＯ技術は、無線通信で注目を引いているが、これは、ＭＩＭＯ技術が、追加の周波数帯域や増大する送信電力無しに、データ処理能力、チャネル容量およびリンク範囲を著しく増加させるからである。ＭＩＭＯは、これらの特性により、ＥＥＥ８０２．１１ｎ（Wi-Fi（登録商標））、４Ｇ、３ＧＰＰロングタームエボル−ション、ＷｉＭＡＸ（Wireless interoperability for microwave access）およびＨＳＰＡ（High Speed Packet Access）などの現代の無線通信標準の重要な一部である。ＭＩＭＯシステムの主な目的は、アレイにおけるアンテナが、より小さな間隔で種々の受信を提供しなければならないことである。アンテナが近接して配置されていると、異なるアンテナの電磁波が互いに干渉して、信号のロスが生じる。ＭＩＭＯシステムでは、設計者が直面する主な問題は、相互カップリングであり、これは、主に、アレイにおけるアンテナ間の電磁相互作用に起因して起こる。この問題は主に、アレイにおけるアンテナ間の小さな間隔に起因して起こる。本発明の好ましい実施形態に係るレンズアンテナに対し、並列的な推論を適用する。それゆえ、特に、プローブ構造体が複数の第１のプローブと複数の第２のプローブとを有する場合、相互カップリングを抑制するために、隣接するプローブ間の距離を十分とることが好ましい。この最小の距離は、電磁放射の波長、レンズの材料、およびプローブの形状に依存する。
【００８８】
好ましい実施形態では、アンテナは、プローブ構造体の双方向通信のために、放射送信モードと放射受信モードとの間でプローブ構造体を自動的に切り替える少なくとも１つのプロセッサを有する。より好ましくは、プロセッサは、好ましくは、各周波数帯域での双方向通信のために、第１の周波数帯域と第２の周波数帯域との間で自動的に切り替えるように構成されている。
【００８９】
高周波では、スーパー形成されたレンズアンテナの放射特性は、光学光線近似に基づく専用の漸近的技術を用いて研究することができる。特に、レンズ領域内の電磁界伝搬を分析するために、幾何光学を用いる。そのとき、多重の内部反射の寄与を適切に考慮し、特に、比較的大きな誘電率を有する誘電材料が用いられるようなモデリング処理の正確さを高めているが、これは、この場合、高次反射光線に関係するエネルギー量が無視できるような一般的な仮説が適用できないからである。最後に、等価原理により、レンズ外の電磁界は、空気領域との境界面に沿った等価な電流および磁流分布の自由空間での放射によって評価することができる。開発された設計方法論では、これらの流れは、物理光学的方法に関する幾何光学フィールドに対するレンズの表面に沿ったローカルなフレネル透過係数の適用によって決定される。これに関連して、Gielisの式の採用は、レンズプロフィールを自動的に再形成する可能性へと変形し、それによって、最適なアンテナ性能を生む幾何パラメータを識別するために、Genetic Algorithms、Neural Networks、Particle Swarm OptimationおよびAnt Colony Optimizationなどの任意の自動的な最適化処理を適用することができる。
【００９０】
レンズ領域の外に送信される電界分布は、便宜的に
【００９１】
【数２７】
0006001181.tif 000028
【００９２】
として評価され、ここで、
【００９３】
【数２８】
0006001181.tif 000029
【００９４】
は、次数ｍの内部反射処理に関する電界分布を表す。（７）において、
【００９５】
【数２９】
0006001181.tif 000030
【００９６】
は、レンズの表面への法線を表し、
【００９７】
【数３０】
0006001181.tif 000031
【００９８】
は、
【００９９】
【数３１】
0006001181.tif 000032
【０１００】
を有するレンズから送信されるｍ次の反射ビームの正規化された波伝搬ベクトルであり、λ0は、真空中の動作波長である。特に、
【０１０１】
【数３２】
0006001181.tif 000033
【０１０２】
および
【０１０３】
【数３３】
0006001181.tif 000034
【０１０４】
は、それぞれ、ｍ次の反射ビームに由来する送信される波の寄与の、平行および直交の成分である。これらの界の量は、適切なフレネル透過係数を有するレンズの表面に影響を及ぼす内部界
【０１０５】
【数３４】
0006001181.tif 000035
【０１０６】
の成分
【０１０７】
【数３５】
0006001181.tif 000036
【０１０８】
を掛けることによって決定される。今度は、以下の関係を用いて、
【０１０９】
【数３６】
0006001181.tif 000037
【０１１０】
の評価が行われる：
【０１１１】
【数３７】
0006001181.tif 000038
【０１１２】
一般的な点Ｐにおける入射界
【０１１３】
【数３８】
0006001181.tif 000039
【０１１４】
は、もしｍ＝１であれば、ソースの遠距離電磁界パターンを用いることによって直接計算できる。他方、もしｍ＞１であれば、
【０１１５】
【数３９】
0006001181.tif 000040
【０１１６】
は、
【０１１７】
【数４０】
0006001181.tif 000041
【０１１８】
として、ｍ次の反射波寄与から得られ、ｄは、観察点Ｐと、反射が起こる点Ｐmとの間のEuclidean距離を表す。（１０）に現れる、反射される界
【０１１９】
【数４１】
0006001181.tif 000042
【０１２０】
は、
【０１２１】
【数４２】
0006001181.tif 000043
【０１２２】
によって得られ、入射平面に関して平行および直交する成分
【０１２３】
【数４３】
0006001181.tif 000044
【０１２４】
および
【０１２５】
【数４４】
0006001181.tif 000045
【０１２６】
は、点Ｐmでの入射界の対応する成分
【０１２７】
【数４５】
0006001181.tif 000046
【０１２８】
および
【０１２９】
【数４６】
0006001181.tif 000047
【０１３０】
を、適切なフレネル反射係数と掛けることによって計算される。（１１）において、
【０１３１】
【数４７】
0006001181.tif 000048
【０１３２】
は、入射界の正規化された波ベクトルであり、
【０１３３】
【数４８】
0006001181.tif 000049
【０１３４】
であり、ｎdは、レンズを形成する誘電材料における屈折率である。
【０１３５】
一旦幾何光学フィールドが評価されたら、レンズの表面に沿った等価な電流密度
【０１３６】
【数４９】
0006001181.tif 000050
【０１３７】
および磁流密度
【０１３８】
【数５０】
0006001181.tif 000051
【０１３９】
を直接決定することができる。このようにして、物理光学的方法に沿って、観察点
【０１４０】
【数５１】
0006001181.tif 000052
【０１４１】
におけるアンテナによって放射される電磁界は、積分表現
【０１４２】
【数５２】
0006001181.tif 000053
【０１４３】
を用いて容易に計算することができ、ここで、
【０１４４】
【数５３】
0006001181.tif 000054
【０１４５】
は、一般的な点
【０１４６】
【数５４】
0006001181.tif 000055
【０１４７】
におけるレンズ表面に垂直な単位ベクトルである。
【０１４８】
本発明の好ましい実施形態は、また、電磁信号を送受信するアンテナシステムであって、本発明に係る少なくとも１つのアンテナを有する、アンテナシステムに関する。アンテナシステムは、上述の複数のＭＩＭＯ構成のアンテナを有し、ここで、各アンテナは、複数のプローブを有する。システムは、好ましくは、また、少なくとも２つのマルチバンドアンテナと、複数の周波数帯域のうちの少なくとも１つを切り替える少なくとも１つのプロセッサとを有し、それによって、この帯域での信号の送受信の多様性を確実にする。好ましくは、プロセッサは、切り替え手段を制御するように構成され、ここで、この切り替え手段は、ＳＰＤＴ（Single Port Double Throw）スイッチまたはＤＰＤＴ(Double Port Double Throw)スイッチである。好ましくは、システムは、さらに、少なくとも１つの上記プロセッサをプログラムするための、またそれゆえ、プロセッサのようなものとしての上記アンテナをプログラミング（構成）するための、少なくとも１つのインターフェース手段を有する。
【０１４９】
いくつかの実施形態によれば、本発明はさらに、本発明に係るアンテナを製造する方法に関し、接地平面、レンズ、およびプローブ構造体を組み立てるステップを有し、プローブ構造体は、複数のプローブを有し、少なくとも２つの上記プローブの互いの向きが、少なくとも部分的に、互いの電磁視界ラインの外側にプローブが配置されるような、向きになっている。いくつかの実施形態によれば、複数のプローブを備えたレンズアンテナであって、少なくとも２つのプローブが、互いの視界のラインの外側にプローブが配置されるようなレンズアンテナを用いる利点は、理解可能なように既述した。好ましくは、少なくとも１つの接地平面および／または少なくとも１つのレンズは、接地平面および／またはレンズが、実質的にスーパー形成された少なくとも１つのベースプロフィールを有し、スーパー形成が、極関数（スーパー式）：
【０１５０】
【数５５】
0006001181.tif 000056
【０１５１】
によって規定され、ρd（φ）が、ＸＹ平面に位置する曲線であり、
φ∈ [０，２π）が、角座標である。
【０１５２】
組み立て中、好ましくは、複数のプローブは、接地平面および／またはレンズに接続されている。好ましくは、少なくとも１つのプローブが、第１の周波数帯域で通信するように構成され、少なくとも１つの他のプローブが、第２の周波数帯域で通信するように構成されている。より好ましくは、動作中に、上記レンズの異なる領域が励起されるように、異なるプローブが方向付けられている。これは、相互カップリングを抑制するために視界のラインの外側にプローブが位置するような場合に好ましい。
【０１５３】
いくつかの実施形態によれば、本発明はさらに、本発明に係るアンテナを用いることによる無線通信での使用方法であって、上記方法は、通信回路をアンテナネットワークに接続するステップを有し、ネットワークは、本発明に係るアンテナを複数個有し、各アンテナは、指定された少なくとも１つの周波数帯域の向きに最適化されている。アンテナの形状および材料の最適化は、特定の目的に完全に依存する。通信回路は、通常、組み合わせて送受信機を形成する、送信機および／または受信機を有する。好ましくは、各アンテナは、複数の周波数帯域での動作に最適化され、そこでは、各プローブは、指定された（単一の）周波数または周波数帯域内で動作するように構成されている。アンテナは、並列または直列のどちらで接続されてもよい。
【０１５４】
いくつかの実施形態によれば本発明はさらに、本発明に係るアンテナで用いられるようなレンズに関する。本発明はまた、本発明に係るアンテナに用いられるような接地平面に関する。これらのアンテナ要素の利点および実施形態は、包括的な方法で上述した。
【０１５５】
本発明のさらなる実施形態は、本発明に係るアンテナが用いられる、無線通信装置のＲＦ送受信機に関する。
【０１５６】
最後に、いくつかの実施形態では、本発明は、上述のＲＦ送受信機を有する無線インターフェースを有する電子装置に関する。
【０１５７】
〔図面の簡単な説明〕
本発明の種々の説明的な実施形態を、以下の図に示す非限定的な例示的な実施形態に基づいて説明する。図１は、スーパー式演算子を用いた、パターンの合成のためおよび／またはパターンの分析のための種々の実施形態に含まれうる種々の構成要素を示す概念図であり；
図２は、スーパー式を用いた、パターンの合成に関する例示的な実施形態で行われうるステップまたはフェーズを示す概念図であり；
図３ａは、本発明に係るレンズアンテナの実施形態の斜視図であり；
図３ｂは、図３ａに示すようなレンズアンテナの平面図であり、図３ｃは、詳細な平面図であり；
図４は、本発明に係る他のレンズアンテナの実施形態の平面図であり；
図５は、本発明に係るさらに他のレンズアンテナの実施形態の平面図であり；
図６ないし図９は、本発明に係る種々のアンテナ構造の概略図であり；
図１０は、本発明の実施形態に係るＭＩＭＯ構成のアンテナシステムを示す図である。
【０１５８】
〔発明の詳細な実施形態〕
第１の態様によれば、図１を参照した説明目的のために、これは図１６として米国特許No. 7,620,527にも導入されているが、本発明に係るアンテナの接地平面および／またはレンズの形状または波は、以下の例示的な基本ステップの適用によって「合成」することができる。
【０１５９】
第１のステップでは、（例えば、コンピュータ１０に、すなわち、キーボード２０、タッチスクリーン、マウスポインタ、音声認識装置または他の入力装置などを介して、値を入力することによって、または、コンピュータ１０に値を指定させることによって、）パラメータの選択が行われ、コンピュータ１０が、パラメータの選択に基づいて、選択されたスーパー形状を合成するのに用いられる。
【０１６０】
オプションの第２のステップでは、選択された形状を適合させるため、最適化を計算するため、などのために、スーパー式を用いることができる。このステップは、グラフィックプログラム（例えば２Ｄ、３Ｄなど）；ＣＡＤソフトウエア、有限要素分析プログラム；波生成プログラム；またはその他のソフトウエアの使用を含むことができる。
【０１６１】
第３のステップでは、コンピュータで計算されたスーパー形状を物理的な形式に変換するために、第１または第２のステップからの出力が用いられ、そのとき、以下のものなどを介する：（ａ）モニタ３０にスーパー形状３１を表示して、プリンタ５０（２−Ｄまたは３−Ｄ）から紙などの貯蔵材５２に式を印刷し；（ｂ）（例えば、ステップ３の出力に基づいて、機械、ロボットなどの外部装置６０を制御することによって、）コンピュータ支援製造を行い；（ｃ）スピーカシステム７０などを介して音７１を生成し；（ｄ）ステレオリソグラフィを行い；（ｅ）通常は３Ｄ印刷技術に基づく、ラピッドプロトタイピングを行い；および／または（ｆ）このような形状を変換する技術で公知の他の方法で上記出力を利用する。
【０１６２】
種々のコンピュータ支援製造（「ＣＡＭ」）技術およびそこから作られた製品は、この分野で公知であり、適切なＣＡＭ技術および出来た製品を選択することができる。ＣＡＭ技術およびそこから作られた製品のいくつかの例としては、以下の米国特許（括弧内はタイトルである）を参照されたい。これらの開示の全体が参照によってここに導入される：米国特許No. 5,796,986 (Method and apparatus for linking computer aided design databases with numerical control machine database); 米国特許No. 4,864,520 (Shape generating/creating system for computer aided design, computer aided manufacturing, computer aided engineering and computer applied technology); 米国特許No. 5,587,912 (Computer aided processing of three dimensional objects and apparatus therefor); 米国特許No. 5,880,962 (Computer aided processing of 3-D objects and apparatus thereof); 米国特許No. 5,159,512 (Construction of Minkowski sums and derivatives morphological combinations of arbitrary polyhedral in CAD/CAM systems)。
【０１６３】
種々のステレオリソグラフィ技術およびそこから作られた製品は、この分野で公知であり、適切なステレオリソグラフィ技術および出来た製品を選択することができる。ステレオリソグラフィ技術およびそこから作られた製品のいくつかの例としては、以下の米国特許（括弧内はタイトルである）を参照されたい。これらの開示の全体が参照によってここに導入される：米国特許No. 5,728,345 (Method for making an electrode for electrical discharge machining by use of a stereo lithography model); 米国特許No. 5,711,911 (Method of and apparatus for making a three-dimensional object by stereo lithography); 米国特許No. 5,639,413 (Methods and compositions related to stereo lithography); 米国特許No. 5,616,293 (Rapid making of a prototype part or mold using stereo lithography model); 米国特許No. 5,609,813 (Method of making a three-dimensional object by stereo lithography); 米国特許No. 5,609,812 (Method of making a three-dimensional object by stereo lithography); 米国特許No. 5,296,335 (Method for manufacturing fibre-reinforced parts utilizing stereo lithography tooling); 米国特許No. 5,256,340 (Method of making a three-dimensional object by stereo lithography); 米国特許No. 5,247,180 (Stereo lithographic apparatus and method of use); 米国特許No. 5,236,637 (Method of and apparatus for production of three dimensional objects by stereo lithography); 米国特許No. 5,217,653 (Method and apparatus for producing a stepless 3-dimensional object by stereo lithography); 米国特許No. 5,184,307 (Method and apparatus for production of high resolution three-dimensional objects by stereo lithography); 米国特許No. 5,182,715 (Rapid and accurate production of stereo lithographic parts); 米国特許No. 5,182,056 (Stereo lithography method and apparatus employing various penetration depths); 米国特許No. 5,182,055 (Method of making a three-dimensional object by stereo lithography); 米国特許No. 5,167,882 (Stereo lithography method); 米国特許No. 5,143,663 (Stereo lithography method and apparatus); 米国特許No. 5,130,064 (Method of making a three dimensional object by stereo lithography); 米国特許No. 5,059,021 (Apparatus and method for correcting for drift in production of objects by stereo lithography); 米国特許No. 4,942,001 (Method of forming a three-dimensional object by stereo lithography and composition therefore); 米国特許No. 4,844,144 (Investment casting utilizing patterns produced by stereo lithography)。
【０１６４】
さらに、本発明は、公知のマイクロステレオリソグラフィ処理に用いることができる。それゆえ、例えば、本発明は、コンピュータチップや他の商品の生成に用いることができる。いくつかの説明的な品物は、その開示が参照によってここに導入されるが、以下の通りである：A. Bertsch, H Lorenz, P. Renaud "3D microfabrication by combining microstereolithography and thick resist UV lithography," Sensors and Actuators: A, 73, pp. 14-23, (1999). L. Beluze, A. Bertsch, P. Renaud "Microstereolithography: a new process to build complex 3D objects," Symposium on Design, Test and microfabrication of MEMs/MOEMs, Proceedings of SPIE, 3680(2), pp. 808-817, (1999). A. Bertsch, H. Lorenz, P. Renaud "Combining Microstereolithography and thick resist UV lithography for 3D microfabrication," Proceedings of the IEEE MEMS 98 Workshop, Heidelberg, Germany, pp. 18-23, (1998). A. Bertsch, J. Y. Jezequel, J. C. Andre "Study of the spatial resolution of a new 3D microfabrication process: the microstereophotolithography using a dynamic mask-generator technique," Journal of Photochem. and Photobiol. A: Chemistry, 107, pp. 275-281, (1997). A. Bertsch, S. Zissi, J. Y. Jezequel, S. Corbel, J. C. Andre "Microstereophotolithography using a liquid crystal display as dynamic mask-generator," Micro. Tech., 3(2), pp. 42-47, (1997). A. Bertsch, S. Zissi, M. Calin, S. Ballandras, A. Bourjault, D. Hauden, J. C. Andre "Conception and realization of miniaturized actuators fabricated by Microstereophotolithography and actuated by Shape Memory Alloys," Proceedings of the 3rd France-Japan Congress and 1st Europe-Asia Congress on Mechatronics, Besancon, 2, pp. 631-634, (1996)。
【０１６５】
同様に、種々のラピッドプロトタイピング技術およびそこから作られた製品は、この分野で公知であり、適切な技術および出来た製品を選択することができる。例えば、現在利用可能な３つの例示的な３次元モデルのラピッドプロトタイピング方法は、米国特許No. 5,578,227に記載されている通りである。また、これらの開示の全体が参照によってここに導入される：（ａ）光で修復できる液体凝固またはステレオリソグラフィ（例えば上述のものを参照）；（ｂ）選択的レーザー焼結（ＳＬＳ）またはパウダー層焼結；（ｃ）融解沈降モデリング（ＦＤＭ）または押し出し融解樹脂沈降法。ラピッドプロトタイピング技術およびそこから作られた製品のいくつかの例としては、以下の米国特許（括弧内はタイトルである）を参照されたい。これらの開示の全体が参照によってここに導入される：米国特許No. 5,846,370 (Rapid prototyping process and apparatus therefor); 米国特許No. 5,818,718 (Higher order construction algorithm method for rapid prototyping); 米国特許No. 5,796,620 (Computerized system for lost foam casting process using rapid tooling set-up); 米国特許No. 5,663,883 (Rapid prototyping method); 米国特許No. 5,622,577 (Rapid prototyping process and cooling chamber therefor); 米国特許No. 5,587,913 (Method employing sequential two-dimensional geometry for producing shells for fabrication by a rapid prototyping system); 米国特許No. 5,578,227 (Rapid prototyping system); 米国特許No. 5,547,305 (Rapid, tool-less adjusting system for hot stick tooling); 米国特許No. 5,491,643 (Method for optimizing parameters characteristic of an object developed in a rapid prototyping system); 米国特許No. 5,458,825 (Utilization of blow molding tooling manufactured by stereo lithography for rapid container prototyping); 米国特許No. 5,398,193 (Method of three-dimensional rapid prototyping through controlled layerwise deposition/extraction and apparatus therefor)。
【０１６６】
上述の３つのステップまたはフェーズはまた、図２の概念図に概念的に示してある（ステップ１、２は、示される通り、コンピュータ自身の内部で実行されることができる）。この図は、米国特許No. 7,620,527の図１７に対応する。
【０１６７】
以下のセクションでは、スーパー式を用いたパターン「合成」の例示的な多くの実施形態をさらに詳細に述べる。
【０１６８】
〔Ａ．  ２−Ｄグラフィックソフトウエア〕
本発明は、２−Ｄグラフィックソフトウエアアプリケーションに非常に有用である。
【０１６９】
例えば、本発明は、Corel-Draw（商標）およびCorel-Paint（商標）、オープンオフィスアプリケーション、Supergraphx（商標） for Adobe Illustrator and PHOTOSHOP（登録商標）、Adobe PHOTOSHOP（登録商標）などの従来からの市販のプログラム、Visual Basic（商標）またはWINDOWS（登録商標）での種々の描画プログラム、または、例えば、Lotus WordPro（商標）およびLotus Freelance Graphics（商標）、JAVA（登録商標）、Visual C（商標）、Visual C++（商標）および他の全てのＣ環境などの、他の環境、に適用されることができる。本発明は、画像合成に実質的な利点を有しているが、これは、とりわけ、（累乗、三角関数などの）古典的な関数を用いたスーパー式を使用するだけでよいので、本アプローチによって、コンピュータのメモリ空間を実質的に節約できるからである。さらに、スーパー式を用いて利用可能な画像形状の数は、実質的に、これまでに利用可能なものを超えて増加している。
【０１７０】
（Paint in WINDOWS（登録商標）、drawing tools in Microsoft Word（商標）、Corel-Draw（商標）、建築設計に用いられるＣＡＤなどの）グラフィックプログラムは、コンピュータにプログラムされた形状である「基本要素」を用いる。この基本要素は非常に限定的である：例えば、主に、円、楕円、正方形、長方形に限られることが多い（３−Ｄでは、容積の基本要素がやはり非常に限定的である）。
【０１７１】
スーパー式の導入により、２−Ｄグラフィック（および下記のように３−Ｄグラフィック）の全体的な可能性を、数オーダー分拡大する。スーパー式は、線形演算子として用いられ、極座標など、および、球座標、円柱座標、均質化された円柱のパラメータの公式化を用いる３−Ｄなど、多くの異なる方法および公式化で動作することができる。
【０１７２】
２−Ｄグラフィックソフトウエアアプリケーション内のいくつかの例示的な実施形態は以下の通りである。
【０１７３】
（ａ．１．）例えば極座標やＸＹ座標では、コンピュータは、演算子をそのまま使うように適合されることができる。この場合、パラメータは、（例えばオペレータの入力によってまたはコンピュータ自身によって）選択され、（例えばプログラミングを介して）スーパー式における入力として用いられる。個々の形状やオブジェクトは、オブジェクトを印刷や表示するなど、どのような方法で用いてもよい。
【０１７４】
（ａ．２．）コンピュータはまた、面積、周囲の長さ、慣性モーメントなどを計算するための積分などの演算を実行するように適合されることができる。これに関し、コンピュータは、（ａ）（例えばキーボード２０を介して）オペレータの入力を介してこのような演算の選択または（ｂ）このような演算を実行するための（例えばプリプログラミングを介して）コンピュータの適用のどちらかによって、このような演算を実行するように適合されることができる。
【０１７５】
（ａ．３．）コンピュータは、（例えばソフトウエアを介して、）（ａ）形状を表示または他のやり方で提示し；（ｂ）その表示後にこのような形状の修正をユーザに許可し；および（ｃ）ユーザによって修正された形状を表示する、ように適合されることができる。これに関し、ユーザは、例えばパラメータを変更することによって形状を修正することができる。例示的な実施形態において、コンピュータは、ステップ３で形成された物理的表現に物理的に作用することによって、表示または他のやり方で提示（すなわち上述のステップ３で提示）された形状を有効にするように適合されることができる。好ましい実施形態では、コンピュータは、パターンすなわち画像の側面および／または隅を引っ張ることによって、モニタに表示された形状を修正可能にするように適合されることができる。これに関し、好ましくは、画像３１は、コンピュータスクリーンすなわちモニタ３０に表示され、ユーザは、自分の手で操作する「マウス」４０（または他のユーザが操作するスクリーンやディスプレイのポインタデバイス）を使用して、表示されたポインタ３２を形状上に置き、それを「クリック」および新しい位置３３へ「ドラッグ」することができ、それによって、スーパー形状を加減して、新しい「スーパー形状」構成３４を担うようにすることができる。これは、式およびパラメータの再計算をも含んでいる。
【０１７６】
（ａ．４．）コンピュータはまた、（ａ．１）または（ａ．３）で生成した個々の形状のうちの１つより多いものが当該動作によってそれぞれ重ね合わせ処理を通じて一緒に取られるような、動作を実行するように適合されることができる。いくつかの場合、例えば重ね合わせおよび／または繰り返しなどによって組み合わされた個々のスーパー形状は、例えば、異なるセクションや領域を有する形状を形成するために組み合わせ可能である領域やセクションであってもよい（１つの説明的例として、例えば０とπ／２との間の円の領域は、π／２とπとの間の正方形の領域と組み合わせて、多成分形状（multi-component shape）を形成することができる）。コンピュータはまた、形成されたスーパー形状へのさらなる動作を実行するように適合されることができる―例えば、このような形状を、平たくする、曲げる、引き伸ばす、拡大する、回転させる、移動または平行移動させる、またはその他のやり方で修正する。
【０１７７】
〔Ｂ．  ２−Ｄグラフィックソフトウエア〕
２−Ｄアプリケーションと同様に、本発明は、３−Ｄグラフィックソフトウエアアプリケーションに非常に有用である（他の種々の次元でも同様である）。
【０１７８】
本発明は、例えば、コンピュータ支援設計（「ＣＡＤ」）ソフトウエア、有限要素分析（「ＦＥＭ」）のためのソフトウエア、Supergraphx 3D Shape Explorer、ＣＳＴ、Ansoft HFSS, Remcom XFdtd, EMSS Feko, Empire XCcelなどのアンテナ設計および分析ソフトウエア、建築設計ソフトウエアなどに適用されることができる。本発明は、例えば、種々の適用に対し、スプライン関数よりもむしろ、単一の連続関数を用いることを許可する。ＣＡＤの産業上の適用は、例えば、ラピッドプロトタイピングや、３Ｄ印刷を含むコンピュータ支援製造（「ＣＡＭ」）を含む。
【０１７９】
図３ａを参照し、ここでは、本発明の好ましい実施形態に係るレンズアンテナ３００の実施形態を示す。アンテナ３００は、接地平面３０１、接地平面３０１に載置された電磁レンズ３０２、および、２つのプローブ３０３ａ，３０３ｂを有するプローブ構造体を有する。レンズ３０２は、スーパー式に準拠するプリズム形状を有する。レンズ３０２は、この例ではＰＶＣから出来ている。レンズ３０２は、プローブを収容する収容空間３０４を備える。接地平面３０１は金属で出来ている。プローブ３０３ａと接地平面３０１との両方は、通常、制御回路（図示せず）を介して、バッテリー（ＤＣ）または主電源（ＡＣ）などの電源に接続されている。この実施形態では、レンズ３０２は、レンズアンテナ３００を誘電体共振器アンテナ（ＤＲＡ）にする誘電体共振器として作用する。レンズ３０２はスーパー式に準拠するので、このアンテナ３００はまた、スーパー形状アンテナ（Ｓ−ＤＲＡ）とみなすこともできる。接地平面３０１として作用する回路金属板は、半径平面を有する。アンテナ３００は、接地平面レベルのところで長さｈpおよび直径ｄpの電気プローブ３０３ａへ向きを変える同軸コネクタによって、底部側から供給されている。プローブ３０３ａ，３０３ｂは、同じ形状を有することができ、または、異なる形状を有することもできる。レンズアンテナ３００をマルチバンドアンテナとして構成すべきである場合には、異なる形状とするのが、通常、最も好ましい。各プローブは、（ｘp、ｙp、０）に位置する。金属の接地平面３０１は、半径ρgおよび厚みｔgを有する。プリズムレンズ３０２は、ｚ方向に沿った軸と、極関数：
【０１８０】
【数５６】
0006001181.tif 000057
【０１８１】
によって規定されるベースプロフィールとを有する。ここで、ρd（φ）は、ＸＹ平面に位置する曲線であり、φ∈［０，２π）が、角座標である。この例では、図３に示すように、レンズ３０２の形状に到達するために、以下の値が用いられる：ａ＝ｂ＝１；ｍ＝４；およびｎ1＝ｎ2＝ｎ3＝１／２。
【０１８２】
ポリマーレンズ３０２に、２つの収容空間が設けられ、各収容空間は、十分適合するやり方で、単一のプローブ３０３ａ，３０３ｂを収容するように構成されている。収容空間、およびそれゆえプローブ３０３ａ，３０３ｂは、レンズ３０２における異なる先端３０４ａ，３０４ｂのところまたはその近傍に配置され、その結果、プローブ３０３ａ，３０３ｂは、互いの視界のラインの外側に配置されており（一点鎖線参照）、これは、図３ａおよび図３ｂにてさらに視覚化されている。図示したように、周囲壁３０５は、互いに接続された４つの凹の壁部分３０５ａ，３０５ｂ，３０５ｃ，３０５ｄを有し、その結果、上記の４つの隅３０４ａ，３０４ｂ，３０４ｃ，３０４ｄが規定されている。凹の壁部分の一つである３０５ａには、選択的な波形形状のプロフィール（輪郭）が設けられている。プローブ３０３ａ，３０３ｂによって励起された電磁放射は、壁部分３０５ａ，３０５ｂ，３０５ｃ，３０５ｄによって、特に、中間の波形形状の壁部分３０５ａによって、他のプローブ３０３ｂ，３０３ａから遠ざかる方向へ反射され（矢印参照）、それによって、相互カップリングおよびそれゆえ干渉を抑制することができる。
【０１８３】
この説明的例でレンズ３０２のために用いられるＰＶＣは、低コストおよび処理のしやすさの理由から大量に製造される熱可塑性ポリマーである。さらに、ＰＶＣは、化学腐食に対して非常に耐久性および抵抗性があり、それゆえ、アウトドアの適用に非常によく適合している。さらに、ＰＶＣは、異なる材料と混ぜて広範囲の物理的特性を提供することができる。それゆえ、ＰＶＣの使用は、複雑に形成された誘電体共振器／レンズアンテナを、従来のドリルあけ／機械加工またはより有利な３次元印刷技術を用いることによって製造する安価なオプションとなることができる。さらに、これは、居住ユニットなどの居住構造、オフィスビル、劇場、スタジアムなどで無線通信に用いられるとき、提案された放射構成の審美的な品質を高めるうえで、非常に重要である。ＰＶＣは、複雑な共振器／レンズ形状の実施を可能にするだけでなく、その低い誘電率ゆえ、アンテナのＱ係数の低下に、またそれゆえ、業務周波数帯域の拡大ならびにエネルギー放射レベルの増大に、有利に働く。提案されたラジエータは、部分帯域幅およびゲインの両方の点で、古典的な誘電体共振器／レンズアンテナよりも優れていることが分かった。プラスチック材料を使用することによって、製造コストを下げて、このような性能を達成できる。この特徴は、新世代の無線マルチメディア適用に典型的な大量製造の状況に特に好ましい。特定の適用に仕立てられたアンテナの単一の製造のための３Ｄ印刷を使用することもできる。典型的には、３Ｄ印刷において、所望の通りに形成するために、連続的な材料層の順次積層をする追加の処理を用いることによって、３次元の固体のオブジェクトが形成される。大量製造と３Ｄ印刷との両方において、材料の誘電率に応じて、生分解性プラスチックとプラスチックの組み合わせとを含め、種々のプラスチックを使用することができる。
【０１８４】
レーダー、衛星および無線通信のためのアンテナの製造は、典型的には、製造工程での大量の二酸化炭素の排出レベルゆえ、著しい環境へのインパクトのある、高価なマイクロ波材料を使用すること、および、リサイクルの困難さを伴う。他方、スーパー形成された誘電体共振器およびレンズの製造において、プラスチック、特にポリ塩化ビニル（ＰＶＣ）の提案された使用は、持続可能性の点で明らかな利点を有する。事実、ＰＶＣは、リサイクルに非常に適した材料であり、また、これはほとんど塩素から出来ており、塩素は地球に豊富にある普通の塩に由来するので、自然の資源の必要量が少ない。それゆえ、他のプラスチックと比べて、ＰＶＣは、再生不可能な資源である石油の節約に著しく寄与する。また、ＰＶＣは、他のポリマーの製造に必要なエネルギーのおよそ８０％しか必要としない。最後に、好ましい環境効果を有するスーパー形成された誘電体共振器／レンズアンテナの製造において、代替の低炭素材料も利用でき、また、回路特性および放射特性の点で良好な装置性能を維持していることも強調すべきである。
【０１８５】
また、他の実施形態では、高度に持続可能な方法でアンテナを製造するために、他の種々の材料を使用することができる。さらに、機械的または電子的な操作によってまたは他の物理的な力を用いることによって修正された形状変化の力学を用いて、そのふるまいを特定の目的に修正する動的な形状変化を有するアンテナを用いることができる。
【０１８６】
図４は、本発明の実施形態に係るレンズアンテナ４００の平面図であり、図３ａないし図３ｃに示すようなアンテナ３００と多少類似している。アンテナ４００は、接地平面４０１、接地平面４０１に載置された電磁レンズ４０２、および、２つのプローブ４０３ａ，４０３ｂを有するプローブ構造体を有する。レンズ４０２は、スーパー式に準拠するプリズム形状を有し、ここで、周囲壁４０４は、４つの凹の周囲壁部分４０４ａ，４０４ｂ，４０４ｃ，４０４ｄを有し、ここで、隣接した壁部分４０４ａ，４０４ｂ，４０４ｃ，４０４ｄは、互いに、レンズ４０２の鋭利な先端４０５ａ，４０５ｂ，４０５ｃ，４０５ｄを形成する。プローブ４０３ａ，４０３ｂはどちらも、レンズ４０２の、異なる鋭利な先端４０５ａ，４０５ｂに配置されている。実質的にプローブ４０３ａ，４０３ｂ間に配置された、周囲壁部分４０４ａの凹形状によって、プローブ４０３ａ，４０３ｂは、電磁的な観点から、お互いが見えない。直接的な視界ライン（ＬＯＳ）が、水平な一点鎖線ＬＯＳによって大まかに示されている。さらに、中間の壁部分４０４ａには、輪郭を描かれた表面が設けられているので、プローブ４０３ａ，４０３ｂによって送信される電磁放射は、他のプローブ４０３ａ，４０３ｂ遠ざかる方向へ反射され（矢印参照）、それによって、レンズアンテナ４００内の、相互カップリングおよびそれゆえ干渉を減少させ、これは、アンテナ４００の効率と能力とにとって有利である。この例示的な実施形態では、相互カップリングは、別個の反射要素４０６（鏡）の存在によって、さらに減少する。この反射要素４０６は、金属板で形成することができ、また、レンズ本体４０２に組み込まれ、また、両側で反射し、それによって、反射要素４０６に到達する電磁放射が反射して戻り、これによって、異なるプローブ４０３ａ，４０３ｂによってそれぞれ送信される放射パターンの干渉をさらに減少させることができる。レンズ４０２は、この例ではＰＶＣから出来ている。接地平面４０１は金属で出来ている。２つのプローブ４０３ａ，４０３ｂと接地平面４０１との両方は、通常、制御回路（図示せず）を介して、バッテリー（ＤＣ）または主電源（ＡＣ）などの電源に接続されている。この実施形態では、レンズ４０２は、レンズアンテナ４００を誘電体共振器アンテナ（ＤＲＡ）にする誘電体共振器として作用する。レンズ４０２はスーパー式に準拠するので、このアンテナ４００はまた、スーパー形状アンテナ（Ｓ−ＤＲＡ）とみなすこともできる。プローブ４０３ａ，４０３ｂは、同じ形状を有することができ、または、異なる形状を有することもできる。
【０１８７】
図５は、本発明の他の実施形態に係るレンズアンテナ５００の平面図である。レンズアンテナは、金属の接地平面５０１、接地平面５０１に載置された電磁レンズ５０２、および、５つのプローブ５０３ａ，５０３ｂ，５０３ｃ，５０３ｄ，５０３ｅを有するプローブ構造体を有する。レンズ５０２は、プリズム形状を有し、上述のスーパー式に準拠する、星形のベースプロフィール５０２ａを有する。プローブ５０３ａ，５０３ｂ，５０３ｃ，５０３ｄ，５０３ｅは、それぞれ、レンズ５０２の、異なる角度位置（先端または隅）に配置されている。このようにして、異なるプローブ５０３ａ，５０３ｂ，５０３ｃ，５０３ｄ，５０３ｅは、実質的にお互いが見えず、それゆえ、互いに干渉しない。異なるプローブ５０３ａ，５０３ｂ，５０３ｃ，５０３ｄ，５０３ｅは、マルチバンド適用、例えば、Wi-Fi（登録商標）通信システムまたは他の通信システム、に適したアンテナ５００を作るように、異なった形状を有することができる。
【０１８８】
図６は、デュアルバンドアンテナ６００を示し、これは、互いに特有の形状を有する２つの異なるプローブ６０２、６０３を有する。レンズ６０１およびプローブ６０２，６０３は、平坦な接地平面６０４に接続されている。いくつかの実施形態では、平坦な接地平面６０４の代わりに、曲がったあるいは他の形成の接地平面６０４を用いることができる。プローブ６０２，６０３のそれぞれは、同軸コネクタ６０５，６０６から延び、同軸コネクタ６０５，６０６も接地平面６０４に接続されている。レンズ６０１は、いくつかの実施例ではシリコンで出来ている。いくつかの実施例では、最も短いプローブ６０２は、２．４ＧＨｚの周波数帯域内で動作するように構成され、最も長いプローブ６０３は、５ＧＨｚの周波数帯域内で動作するように構成されており、これにより、このコンパクトなアンテナ６００は、デュアルバンドのWi-Fi（登録商標）アンテナとして作用するのに十分適している。
【０１８９】
図７は、デュアルバンドアンテナ５００を示し、これは、レンズ７０１、および、レンズ７０１に接続されたスーパー形成接地平面７０２を有し、ここで、接地平面７０２には、レンズ７０１と、接地平面７０２が取り付けられている絶縁プリント回路基板（ＰＣＢ）との間の、スロットまたは空洞を形成する２つの中央の穴７０３ａ，７０３ｂが設けられている。穴７０３ａ，７０３ｂは、少なくとも部分的に、互いの視界のラインの外側に配置されている。ＰＣＢ７０４の後ろ側には、２つの導電性のマイクロストリップ７０５ａ，７０５ｂが設けられている。接地平面７０２と各マイクロストリップ７０５ａ，７０５ｂとを、バッテリーなどの電源、および、通常、制御ユニットおよびスイッチを含んだ、（概略的に示される）電子回路７０６に接続することによって、マイクロストリップ７０５ａ，７０５ｂと接地平面７０２との間に、静止した平坦な波面が形成され、この波面は、各穴７０３ａ，７０３ｂを介してレンズ７０１に入り、レンズ７０１内の球面波面に入る。レンズ７０１内の電磁放射は、レンズの形状（スーパー形状）に応じて、また最終的には接地平面７０２のスーパー形状に応じて、制御されながら内部で反射して励起される。このメカニズムは、スロット供給アンテナとも呼ばれる。
【０１９０】
図８は、スーパー形成されたレンズ８０１を有するシングルバンドアンテナ８００を示し、レンズ８０１は、絶縁層８０２と接地平面として働く導電層８０３との積層に接続されている。導電層８０３には、２つの中央のプローブ８０５ａ，８０５ｂが通って延びる中央の穴８０４が設けられている。各プローブ８０５ａ，８０５ｂの外側端は、レンズ８０１内に位置してレンズ８０１の内部へおよび／またはレンズ８０１の外へ電磁を結合させるように構成された類似の形状の導電パッチ８０６ａ，８０６ｂに接続されている。プローブ８０５ａ，８０５ｂはまた、プロセッサを含む制御回路８０７に接続されている。プローブ８０５ａ，８０５ｂおよび導電層８０３の両方は、ＡＣ電源８０８に接続されている。制御回路８０７は、アンテナ８００の目的（信号の送信、受信および両方）およびさらにはアンテナ８００によって用いられる周波数帯域などのアンテナ８００の特徴を規定することをユーザに許可する、コンピュータインターフェース８０９を用いてプログラムされるように構成されている。
【０１９１】
図９は、スーパー形成された誘電体共振器９０１を有するマルチバンドアンテナ９００を示し、誘電体共振器９０１は、第１の絶縁層９０２と、接地平面として働く導電層９０３と、第２の絶縁層９０４と、２つのマイクロストリップ９０５ａ，９０５ｂとの積層に接続されている。いくつかの実施形態では、共振器９０１は、ＰＶＣまたはテフロン（登録商標）またはポリマーとセラミックとの組み合わせ／混合物から出来ている。共振器９０１の内部および第１の絶縁層９０２の上には、２つの導電パッチ９０６ａ，９０６ｂが設けられている。パッチ９０６ａ，９０６ｂは、平坦な形状またはスーパー形成された形状のどちらかを持つことができる。接地平面９０３は、金属および／または導電ポリマーから出来ており、２つの中央の穴９０７ａ，９０７ｂが設けられており、マイクロストリップ９０５ａ，９０５ｂは、外側端がパッチ９０６ａ，９０６ｂに一致するように位置する。マイクロストリップ９０５ａ，９０５ｂと（中間の）接地平面９０３とを電源９０８に接続することによって、マイクロストリップ９０５ａ，９０５ｂと接地平面９０３との間に形成される電磁平坦波面が形成され、これが、球面波面がレンズに伝搬するようにパッチ９０６を励起する。パッチ９０６は、波面が互いに干渉しないようなやり方で、レンズ本体９０１内に配置されている。アンテナ９００は、例えばルータ、ノートブックまたは携帯電話などの電子装置９０９の一部を成すことができる。
【０１９２】
図１０は、本発明のいくつかの実施形態に係るＭＩＭＯ構成のアンテナシステム１０００を示し、これは、本発明に係る複数のアンテナ１００１，１００２を有し、ここで、アンテナ１００１，１００２は、互いに無線で双方向に通信するように構成されている。第１のアンテナ１００１は、複数のプローブ１００３，１００４，１００５を有し、ここで、２つのプローブ１００３，１００４は同一の形状を有して、同じ第１の周波数帯域内で動作するように構成され、一方、他のプローブ１００５は、異なる形状を有し、別の第２の周波数帯域内で動作するように構成されている。プローブ１００３，１００４，１００５は、プローブ１００７によって支持されているスーパー形成されたレンズ１００６によって取り囲まれている。プローブは、制御回路（図示せず）に接続されている同軸コネクタ１００８，１００９，１０１０の一部を成している。２つの同一のプローブ１００３，１００４は、通信を改善するために、そしてそれゆえこの第１のアンテナ１００１の信頼性を改善するために、互いから十分離して相互に位置させて用いられる。他方のアンテナ１００２は、２つのプローブ１０１１，１０１２を有し、第１のプローブ１０１１は、第１の周波数帯域内で動作するように構成され、他のプローブ１０１２は、第２の周波数帯域内で動作するように構成されている。プローブ１０１１，１０１２は、接地板（接地平面）１０１４によって支持されている、スーパー形成されたレンズ１０１３によって取り囲まれている。プローブは、制御回路（図示せず）に接続されている同軸コネクタ１０１５，１０１６の一部を成している。
【０１９３】
本発明は、ここに示した例示的な実施形態に限定されず、添付の特許請求の範囲内で無数の変形例が可能であることは明らかであり、この分野の当業者に自明である。また、この開示に基づいて、本発明が、無数の進歩した装置、要素、態様、方法などを含む無数の実施形態を有することを理解すべきである。この開示では、「本発明」との言及は、本発明の全ての実施形態に印加することを意図しない。
【０１９４】
この要約は、この開示内で展開された議論において提供される技術に基づく多くの教示と変形の消耗的なリスト無しに、明細書内に開示された概念への導入を提供することを意図する。それゆえ、この要約の内容は、後述の特許請求の範囲を制限するために用いるべきではない。
【０１９５】
進歩的な概念が一連の実施例にて説明され、いくつかの実施例は、一つより多い進歩的概念を示している。個々の進歩的概念は、特定の実施例で提供される全ての詳細を実施すること無しに実施することができる。当業者は、種々の実施例で説明された進歩的概念が、特定の適用に対応するために共に組み合わせうることを認識するので、後述の進歩的概念の考え得る全ての組み合わせの例を提供することは必要ではない。
【０１９６】
開示された教示の、他のシステム、方法、特徴および利点は、以下の図面および詳細な説明の調査に基づき当業者に明らかになるであろう。このようなさらなるシステム、方法、特徴および利点は、添付の特許請求の範囲内に含まれ、それによって保護されることが意図されている。
【０１９７】
請求項における限定（例えばあとで追加されるべきものを含む）は、請求項に用いられた文言に基づいて広く解釈されるべきであり、本明細書に記載の実施例または出願の審査中に限定されるべきではなく、この実施例は、非排他的なものと解釈すべきである。例えば、本開示においては、「好ましくは」との用語は、非排他的であり、「好ましいが、これには限定されない」ということを意味する。この開示および出願の審査中において、手段プラス機能またはステッププラス機能の限定は、特定の請求項の限定に対し、以下の条件の全てがその限定に存在する場合にのみ採用される：（ａ）「のための手段」、「のためのステップ」が明示的に用いられ；（ｂ）対応する機能が明示的に用いられ；（ｃ）構造、材料またはその構造を支持する動作が記載されていない。この開示および出願の審査中において、「本発明」または「発明」との用語は、本開示内の１つまたはそれより多い態様への言及として用いることができる。「本発明」または「発明」との用語は、重要性を示すものとして不適切に解釈すべきでなく、全ての態様または実施形態を横切って印加するように不適切に解釈すべきでなく（すなわち、本発明は、多くの態様および実施形態を有することを理解すべきである）、また、出願または請求項の範囲を限定するものとして不適切に解釈すべきでない。この開示および出願の審査中において、「実施形態」との用語は、任意の態様、特徴、処理またはステップ、それらの任意の組み合わせ、および／または、それらの一部分、などを記述するのに用いることができる。いくつかの実施例では、種々の実施形態が、重複する特徴を含むことができる。この開示において、「例えば」を意味する「e.g.」との略語を用いることができる。
【図面の簡単な説明】
【０１９８】
【図１】スーパー式演算子を用いた、パターンの合成のためおよび／またはパターンの分析のための種々の実施形態に含まれうる種々の構成要素を示す概念図である。
【図２】スーパー式を用いた、パターンの合成に関する例示的な実施形態で行われうるステップまたはフェーズを示す概念図である。
【図３ａ】本発明に係るレンズアンテナの実施形態の斜視図である。
【図３ｂ】図３ａに示すようなレンズアンテナの平面図である。
【図３ｃ】図３ａに示すようなレンズアンテナの詳細な平面図である。
【図４】本発明に係る他のレンズアンテナの実施形態の平面図である。
【図５】本発明に係るさらに他のレンズアンテナの実施形態の平面図である。
【図６】本発明に係る種々のアンテナ構造の概略図である。
【図７】本発明に係る種々のアンテナ構造の概略図である。
【図８】本発明に係る種々のアンテナ構造の概略図である。
【図９】本発明に係る種々のアンテナ構造の概略図である。
【図１０】本発明の実施形態に係るＭＩＭＯ構成のアンテナシステムを示す図である。
【図１】
0006001181.tif 000061
【図２】
0006001181.tif 000062
【図３Ａ】
0006001181.tif 000063
【図３Ｂ】
0006001181.tif 000064
【図３Ｃ】
0006001181.tif 000065
【図４】
0006001181.tif 000066
【図５】
0006001181.tif 000067
【図６】
0006001181.tif 000068
【図７】
0006001181.tif 000069
【図８】
0006001181.tif 000070
【図９】
0006001181.tif 000071
【図１０】
0006001181.tif 000072